(57)【特許請求の範囲】
【請求項１】
ステーション（ＳＴＡ）で用いる方法であって、
ビーコンフレームのインスタンス間にアクセスポイント（ＡＰ）から高速初期リンク設定（ＦＩＬＳ）探索（ＦＤ）フレームを受信することであって、前記ＦＤフレームは、
ＦＤフレーム内容、並びに
前記ＦＤフレーム内容における可変長サービスセット識別子（ＳＳＩＤ）フィールドの長さに対応する、ＳＳＩＤ長さフィールド、
対応する能力フィールドが前記ＦＤフレーム内容に存在しているかどうかを示す、能力プレゼンスインジケータ、
対応するアクセスネットワークオプションフィールドが前記ＦＤフレーム内容に存在しているかどうかを示す、アクセスネットワークオプションプレゼンスインジケータ、
対応するセキュリティフィールドが前記ＦＤフレーム内容に存在しているかどうかを示す、セキュリティプレゼンスインジケータ、および
対応するＡＰ構成変更カウントフィールドが、前記ＦＤフレーム内容に存在しているかどうかを示す、ＡＰ構成変更カウントプレゼンスインジケータ、
を備える、ＦＤフレーム制御フィールド
を含む、ことと、
前記受信されたＦＤフレームに基づいて前記ＡＰとアソシエートするかどうかを判定することと
を備える方法。
【請求項２】
前記能力フィールドは前記ＡＰの能力情報を含む、請求項１の方法。
【請求項３】
前記アクセスネットワークオプションフィールドは、前記ＡＰによって提供されるアクセスサービスを示す、請求項１の方法。
【請求項４】
前記セキュリティフィールドは、前記ＡＰによって使用されるセキュリティの１つまたは複数のタイプを示す、請求項１の方法。
【請求項５】
前記ＡＰ構成変更カウントフィールドは、ＡＰ構成パラメータのセットが変わった回数を示す、請求項１の方法。
【請求項６】
前記ＦＤフレーム制御フィールドは、
対応する隣接ＡＰ情報フィールドが前記ＦＤフレーム内容に存在しているかどうかを示す、隣接ＡＰ情報プレゼンスインジケータをさらに備える、請求項１の方法。
【請求項７】
前記隣接ＡＰ情報フィールドは、前記隣接ＡＰ情報フィールドに各隣接ＡＰに対して、動作クラスフィールドと、チャネル数フィールドと、ネクストターゲットビーコン伝送時間フィールドとを含む、請求項６の方法。
【請求項８】
各ネクストターゲットビーコン伝送時間フィールドは、前記対応する隣接ＡＰからの次の完全なビーコンフレームの伝送時間を示す、請求項７の方法。
【請求項９】
前記ネクストターゲットビーコン伝送時間は、ＦＤフレーム伝送時間に対するオフセット値として表される、請求項８の方法。
【請求項１０】
前記オフセット値は時間単位の数として表される、請求項９の方法。
【請求項１１】
前記ＦＤフレームに基づいて前記ＡＰとアソシエートするかどうかの前記判定が肯定であるという条件で、前記ＡＰにアソシエーション要求フレームを伝送することをさらに備える、請求項１の方法。
【請求項１２】
ステーション（ＳＴＡ）であって、
ビーコンフレームのインスタンス間にアクセスポイント（ＡＰ）から高速初期リンク設定（ＦＩＬＳ）探索（ＦＤ）フレームを受信するように構成された受信機であって、前記ＦＤフレームは、
ＦＤフレーム内容、並びに
前記ＦＤフレーム内容における可変長サービスセット識別子（ＳＳＩＤ）フィールドの長さに対応する、ＳＳＩＤ長さフィールド、
対応する能力フィールドが前記ＦＤフレーム内容に存在しているかどうかを示す、能力プレゼンスインジケータ、
対応するアクセスネットワークオプションフィールドが前記ＦＤフレーム内容に存在しているかどうかを示す、アクセスネットワークオプションプレゼンスインジケータ、
対応するセキュリティフィールドが前記ＦＤフレーム内容に存在しているかどうかを示す、セキュリティプレゼンスインジケータ、および
対応するＡＰ構成変更カウントフィールドが、前記ＦＤフレーム内容に存在しているかどうかを示す、ＡＰ構成変更カウントプレゼンスインジケータ、
を備える、ＦＤフレーム制御フィールド
を含む、受信機と、
前記ＦＤフレームに基づいて前記ＡＰとアソシエートするかどうかを判定するように構成されたプロセッサと
を備えたＳＴＡ。
【請求項１３】
前記ＦＤフレームに基づいて前記ＡＰとアソシエートするかどうかの前記判定が肯定であるという条件で、前記ＡＰにアソシエーション要求フレームを伝送するように構成された送信機をさらに備えた、請求項１２のＳＴＡ。
【請求項１４】
前記ＦＤフレーム内容は、オプションフィールドまたはオプション情報要素をさらに含む、請求項１の方法。
【請求項１５】
前記ＦＤフレーム内容が任意のオプションフィールドを含むという条件で、前記オプションフィールドに対応するプレゼンスインジケータは、前記ＦＤフレーム制御フィールドに含まれる、請求項１４の方法。
【請求項１６】
前記ＦＤフレーム制御フィールドは、対応するＡＰネクストターゲットビーコン伝送時間フィールドが前記ＦＤフレーム内容に存在しているかどうかを示す、ＡＰネクストターゲットビーコン伝送時間プレゼンスインジケータをさらに備える、請求項１の方法。
【請求項１７】
前記ＡＰネクストターゲットビーコン伝送時間フィールドは、前記ＡＰからの次の完全なビーコンフレームの伝送時間を示す、請求項１６の方法。
【請求項１８】
前記ＡＰネクストターゲットビーコン伝送時間は、ＦＤフレーム伝送時間に対するオフセット値として表される、請求項１７の方法。
【請求項１９】
前記オフセット値は時間単位の数として表される、請求項１８の方法。
【請求項２０】
前記能力フィールドは前記ＡＰの能力情報を含む、請求項１３のＳＴＡ。
【請求項２１】
前記アクセスネットワークオプションフィールドは、前記ＡＰによって提供されるアクセスサービスを示す、請求項１３のＳＴＡ。
【請求項２２】
前記セキュリティフィールドは、前記ＡＰによって使用されるセキュリティの１つまたは複数のタイプを示す、請求項１３のＳＴＡ。
【請求項２３】
前記ＡＰ構成変更カウントフィールドは、ＡＰ構成パラメータのセットが変わった回数を示す、請求項１２のＳＴＡ。
【請求項２４】
前記ＦＤフレーム制御フィールドは、
対応する隣接ＡＰ情報フィールドが前記ＦＤフレーム内容に存在しているかどうかを示す、隣接ＡＰ情報プレゼンスインジケータをさらに備える、請求項１２のＳＴＡ。
【請求項２５】
前記隣接ＡＰ情報フィールドは、前記隣接ＡＰ情報フィールドに各隣接ＡＰに対して、動作クラスフィールドと、チャネル数フィールドと、ネクストターゲットビーコン伝送時間フィールドとを含む、請求項２４のＳＴＡ。
【請求項２６】
各ネクストターゲットビーコン伝送時間フィールドは、前記対応する隣接ＡＰからの次の完全なビーコンフレームの伝送時間を示す、請求項２５のＳＴＡ。
【請求項２７】
前記ネクストターゲットビーコン伝送時間は、ＦＤフレーム伝送時間に対するオフセット値として表される、請求項２６のＳＴＡ。
【請求項２８】
前記オフセット値は時間単位の数として表される、請求項２７のＳＴＡ。
【発明の詳細な説明】
【技術分野】
【０００１】
本発明は無線通信に関する。
【背景技術】
【０００２】
インフラストラクチャ基本サービスセット（ＢＳＳ）モードの無線ローカルエリアネットワーク（ＷＬＡＮ）は、ＢＳＳ用のアクセスポイント（ＡＰ）と、ＡＰとアソシエートする１つまたは複数のステーション（ＳＴＡ）とを有する。ＡＰは、典型的に、ＢＳＳに入る、およびＢＳＳから出るトラフィックを搬送する分配システム（ＤＳ）または別のタイプの有線／無線ネットワークにアクセスできる、またはこれとインターフェースする。ＢＳＳの外側から発生するＳＴＡへのトラフィックは、ＡＰを通って到着し、ＳＴＡに届けられる。ＳＴＡから発生し、ＢＳＳ外の宛先へ向かうトラフィックは、ＡＰに送信されて、それぞれの宛先に届けられる。ＢＳＳ内のＳＴＡ間のトラフィックもまた、ＡＰを通して送信されることが可能であり、発信元ＳＴＡはＡＰにトラフィックを送信し、ＡＰはこのトラフィックを宛先ＳＴＡに届ける。ＢＳＳ内のＳＴＡ間のこのようなトラフィックは、実際にはピアツーピアトラフィックである。このようなピアツーピアトラフィックは、ダイレクトリンク設定（ＤＬＳ：direct link setup）、またはトンネリングされたＤＬＳ（ＴＤＬＳ）を用いて、発信元ＳＴＡと宛先ＳＴＡとの間で直接に送信されることも可能である。独立ＢＳＳモード（ＩＢＳＳ）のＷＬＡＮにはＡＰがなく、ＳＴＡは互いと直接に通信する。
【０００３】
インフラストラクチャＢＳＳでは、ＳＴＡが、スキャニング手順を行って、適切なＡＰ／ネットワークを探索し、通常はアソシエーション手順によって、ＷＬＡＮリンクを確立する。２つの基本的なスキャニングモード、パッシブスキャニングおよびアクティブスキャニングがある。
【０００４】
パッシブスキャニングモードを用いて、ＡＰは、定期的にビーコンフレームを送信して、ＡＰ／ネットワーク情報をＳＴＡに提供する。ビーコンは、ＡＰアドバタイズメント（advertisement）に、ＢＳＳ識別子（ＢＳＳＩＤ）、ＢＳＳにおけるＳＴＡの同期、能力（capability）情報、ＢＳＳ動作情報、媒体アクセスのためのシステムパラメータ、送信電力制限などを提供することによって、システムにおける様々な機能をサポートする。さらに、ビーコンは、多くのオプション情報要素を搬送することができる。
【０００５】
アクティブスキャンを用いて、ＳＴＡは、ＡＰへのプローブ要求フレームを能動的に生成して送信し、ＡＰからのプローブ応答フレームを受信し、プローブ応答フレームを処理してＡＰ／ネットワーク情報を取得する。
【０００６】
図１は、媒体アクセス制御（ＭＡＣ）ヘッダ１０２、フレームボディ１０４、およびフレームチェックシーケンス（ＦＣＳ）フィールド１０６を含む、ビーコンフレーム１００用の一般的なフレームフォーマットを示す。ＭＡＣヘッダ１０２は、フレーム制御フィールド１１０と、継続時間（duration）フィールド１１２と、複数のアドレスフィールド１１４〜１１８と、シーケンス制御フィールド１２０と、高スループット（ＨＴ）制御フィールド１２２とを含む。
【０００７】
フレームボディ１０４は、必須（mandatory）フィールドおよび情報要素（ＩＥ）を含み、例えばタイムスタンプフィールド、ビーコン間隔フィールド、能力フィールド、サービスセット識別子（ＳＳＩＤ）フィールド、サポートレート（supported rates）フィールド、および１つもしくは複数のオプションのＩＥ、例えばＢＳＳ負荷情報などを含むが、これらに限定されない（図１には示さず）。ＢＳＳ負荷情報は、ＢＳＳにおけるトラフィック負荷のレベルを示し、５つの関連ＩＥ、すなわち、ＳＴＡカウント、チャネル利用、およびアドミッション能力（admission capability）を含むＢＳＳ負荷と、ＢＳＳ利用可能アドミッション容量と、サービス品質（ＱｏＳ）トラフィック能力と、ＢＳＳ平均アクセス遅延と、ＢＳＳアクセスカテゴリ（ＡＣ）アクセス遅延とを含むことができる。必須ＩＥおよび典型的なオプションのＩＥとともに、ビーコンフレームは、１００バイト長を超える可能性がある。典型的な企業環境において、ビーコンは、およそ２３０バイト長である。
【０００８】
高速初期リンク設定（ＦＩＬＳ：fast initial link setup）と併せた目的は、１００ｍｓ以内のＳＴＡのための初期リンク設定時間をサポートすること、および少なくとも１００の非ＡＰのＳＴＡが同時にＢＳＳに入ること、および１秒以内の高速リンク設定をサポートすることである。ビーコンが使用されて、初期リンク設定プロセスの始めに、ＡＰに関する情報をＳＴＡに提供することができるので、ビーコンが情報を含んで、指定された機能要件を満たす高速リンク設定を容易にすることができる。
【０００９】
ＦＩＬＳプロセスは、５つのフェーズ、すなわち（１）ＡＰ探索（discovery）、（２）ネットワーク探索、（３）追加タイミング同期機能（ＴＳＦ：timing synchronization function）、（４）認証およびアソシエーション、（５）上位層ＩＰ設定からなる。
【発明の概要】
【００１０】
ワイヤレスステーションで用いる方法が、完全なビーコンフレームのインスタンス間にアクセスポイント（ＡＰ）からの高速初期リンク設定探索（ＦＤ）フレームを受信することと、受信されたＦＤフレームに基づいてＡＰとアソシエートするかどうかを決定することとを含む。ＦＤフレームは、ＦＤフレーム内容（contents）と、ＦＤフレーム制御フィールドとを含む。ＦＤフレーム制御フィールドは、ＦＤフレーム内容中の可変長ＳＳＩＤフィールドの長さに対応する、サービスセット識別子（ＳＳＩＤ）長さフィールド、並びに能力プレゼンスインジケータ（presence indicator）、アクセスネットワークオプションプレゼンスインジケータ、セキュリティプレゼンスインジケータ、ＡＰ構成変更カウントプレゼンスインジケータ、またはＡＰネクストターゲットビーコン伝送時間プレゼンスインジケータのうちのいずれか１つまたは複数を含む。プレゼンスインジケータのそれぞれが使用されて、対応するフィールドがＦＤフレーム内容に存在するかどうかを示す。
【図面の簡単な説明】
【００１１】
一例として添付図面と併せて行われる次の説明からより詳細に理解することができる。
【図１】ビーコンフレームフォーマットの図である。
【図２Ａ】１つまたは複数の開示する実施形態が実行されることが可能である例示的通信システムのシステム図である。
【図２Ｂ】図２Ａに示す通信システム内で使用されることが可能である例示的な無線送受信ユニット（ＷＴＲＵ）のシステム図である。
【図２Ｃ】図２Ａに示す通信システム内で使用されることが可能である例示的無線アクセスネットワークおよび例示的コアネットワークのシステム図である。
【図３】測定パイロットフレームフォーマットの図である。
【図４】短いビーコンフレームフォーマットの図である。
【図５】ＦＤフレームで使用するためのアクセスネットワークオプション情報要素フォーマットの図である。
【図６】ＦＤフレームで使用するための隣接ＡＰ情報要素フォーマットの図である。
【図７】ＦＤフレームで使用するためのロバストセキュリティネットワーク要素（robust security network element：ＲＳＮＥ）の図である。
【図８】ＦＤフレームで使用するための固定長の最適化されたＲＳＮＥの図である。
【図９】ＦＤフレームで使用するための可変長の最適化されたＲＳＮＥの図である。
【図１０】ＦＤフレームで使用するための最適化されたＲＳＮＥのための固定長のビットマップコーディングの図である。
【図１１】ＦＤフレームで使用するための固定長の２オクテットの最適化されたＲＳＮＥの図である。
【図１２】ＦＤフレームで使用するためのＲＮＳ能力フィールドを有する２オクテットの最適化されたＲＳＮＥの図である。
【図１３】ＦＤフレームで使用するためのＨＴ物理層固有の情報要素の図である。
【図１４】ＦＤフレームで使用するための超高スループット（ＶＨＴ）の物理層固有の情報要素の図である。
【図１５】ＦＤフレーム制御フィールドフォーマットの図である。
【図１６Ａ】例示的ＦＤフレームＳＳＩＤ設計の図である。
【図１６Ｂ】例示的ＦＤフレームＳＳＩＤ設計の図である。
【図１７】ＦＤフレーム能力情報項目フォーマットの図である。
【図１８】ＦＤフレームセキュリティ情報項目フォーマットの図である。
【図１９Ａ】可変長ＦＤフレームセキュリティ情報項目フォーマットの図である。
【図１９Ｂ】可変長ＦＤフレームセキュリティ情報項目フォーマットの図である。
【図２０】ＦＤフレームＡＰの次のＴＢＴＴ情報項目フォーマットの図である。
【図２１】ＦＤフレーム隣接ＡＰ情報項目フォーマットの図である。
【図２２】例示的ＦＤフレームボディフォーマットの図である。
【図２３】例示的ＦＤフレームボディフォーマットの図である。
【図２４】パブリックアクションフレームフォーマットのＦＤフレームの図である。
【図２５】分かれたフレーム制御フィールドを有するＦＤ拡張フレームフォーマットの図である。
【図２６】結合されたフレーム制御フィールドを有するＦＤ拡張フレームフォーマットの図である。
【発明を実施するための形態】
【００１２】
図２Ａは、１つまたは複数の開示される実施形態を実行可能な例示的通信システム２００の図である。通信システム２００は、音声、データ、映像、メッセージング、ブロードキャスト等の内容を複数の無線ユーザに提供する多元接続システムとすることができる。通信システム２００は、複数の無線ユーザが無線帯域幅を含むシステムリソースの共有によってこのような内容にアクセスできるようにすることができる。例えば、通信システム２００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの、１つまたは複数のチャネルアクセス方法を使用することができる。
【００１３】
図２Ａに示すように、通信システム２００は、無線送受信ユニット（ＷＴＲＵ）２０２ａ、２０２ｂ、２０２ｃ、２０２ｄ、無線アクセスネットワーク（ＲＡＮ）２０４、コアネットワーク２０６、公衆交換電話ネットワーク（ＰＳＴＮ）２０８、インターネット２１０、および他のネットワーク２１２を含むことができるが、開示する実施形態は、任意数のＷＴＲＵ、基地局、ネットワーク、および／またはネットワーク要素についても考えられることを理解されよう。ＷＴＲＵ２０２ａ、２０２ｂ、２０２ｃ、２０２ｄのそれぞれは、無線環境で動作し、および／または通信するように構成された任意のタイプのデバイスであることも可能である。例えば、ＷＴＲＵ２０２ａ、２０２ｂ、２０２ｃ、２０２ｄは、無線信号を送信し、および／または受信するように構成されることが可能であり、ユーザ機器（ＵＥ）、移動局、固定もしくは移動加入者ユニット、ページャ、携帯電話、携帯情報端末（ＰＤＡ）、スマートフォン、ラップトップ、ネットブック、パーソナルコンピュータ、無線センサ、家庭用電化製品などを含むことができる。
【００１４】
通信システム２００はまた、基地局２１４ａおよび基地局２１４ｂを含むことができる。基地局２１４ａ、２１４ｂのそれぞれは、ＷＴＲＵ２０２ａ、２０２ｂ、２０２ｃ、２０２ｄの少なくとも１つと無線でインターフェースし、コアネットワーク２０６、インターネット２１０、および／または他のネットワーク２１２のような、１つまたは複数の通信ネットワークへのアクセスを容易にするように構成された任意のタイプのデバイスとすることもできる。例えば、基地局２１４ａ、２１４ｂは、無線基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータなどであることが可能である。基地局２１４ａ、２１４ｂは、それぞれ単一要素として示されているが、基地局２１４ａ、２１４ｂは、任意数の相互に接続された基地局および／またはネットワーク要素も含むことができることは理解されよう。
【００１５】
基地局２１４ａは、ＲＡＮ２０４の一部とすることができ、ＲＡＮ２０４は、基地局コントローラ（ＢＳＣ）、無線ネットワークコントローラ（ＲＮＣ）、中継ノードなど、他の基地局および／またはネットワーク要素（図示せず）も含むことがある。基地局２１４ａおよび／または基地局２１４ｂは、セル（図示せず）と呼ばれることがある特定の地理的領域内の無線信号を送信し、かつ／または受信するように構成されることができる。セルはさらに、セルセクタに分割されることができる。例えば、基地局２１４ａと関連付けられたセルは、３つのセクタに分割されることができる。したがって、一実施形態では、基地局２１４ａは３つのトランシーバ、すなわちセルの各セクタに１つを含むことができる。別の実施形態では、基地局２１４ａは、多入力多出力（ＭＩＭＯ）技術を使用することができ、従って、セルの各セクタに複数のトランシーバを利用することができる。
【００１６】
基地局２１４ａ、２１４ｂは、エアインターフェース２１６によってＷＴＲＵ２０２ａ、２０２ｂ、２０２ｃ、２０２ｄの１つまたは複数と通信することができ、エアインターフェース２１６は、任意の好適な無線通信リンク（例えば、無線周波数（ＲＦ）、マイクロ波、赤外線（ＩＲ）、紫外線（ＵＶ）、可視光線など）であってもよい。エアインターフェース２１６は、任意の好適な無線アクセス技術（ＲＡＴ）を使用して確立されることもできる。
【００１７】
より詳細には、上記のように、通信システム２００は、多元接続システムであることが可能であり、ＣＤＭＡ、ＴＤＭＡ、ＦＤＭＡ、ＯＦＤＭＡ、ＳＣ−ＦＤＭＡなどの、１つまたは複数のチャネルアクセス方式を使用することができる。例えば、ＲＡＮ２０４中の基地局２１４ａおよびＷＴＲＵ２０２ａ、２０２ｂ、２０２ｃは、広帯域ＣＤＭＡ（ＷＣＤＭＡ（登録商標））を使用してエアインターフェース２１６を確立することができるユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１８】
別の実施形態では、基地局２１４ａおよびＷＴＲＵ２０２ａ、２０２ｂ、２０２ｃは、ＬＴＥ（登録商標）および／またはＬＴＥ−Ａｄｖａｎｃｅｄ（ＬＴＥ−Ａ）を使用してエアインターフェース２１６を確立することができる、Ｅ−ＵＴＲＡ（Evolved UMTS Terrestrial Radio Access）などの無線技術を実装することができる。
【００１９】
別の実施形態では、基地局２１４ａおよびＷＴＲＵ２０２ａ、２０２ｂ、２０２ｃは、ＩＥＥＥ８０２．１６（すなわち、ＷｉＭＡＸ）、ＣＤＭＡ２０００、ＣＤＭＡ２０００  １Ｘ、ＣＤＭＡ２０００  ＥＶ−ＤＯ、ＩＳ（Interim Standard）−２０００、ＩＳ−９５、ＩＳ−８５６、ＧＳＭ（登録商標）（Global System for Mobile communications）、ＥＤＧＥ（Enhanced Data rates for GSM Evolution）、ＧＳＭ  ＥＤＧＥ（ＧＥＲＡＮ）などの無線技術を実装することができる。
【００２０】
図２Ａの基地局２１４ｂは、例えば、無線ルータ、Ｈｏｍｅ  Ｎｏｄｅ  Ｂ、Ｈｏｍｅ  ｅＮｏｄｅ  Ｂまたはアクセスポイントとすることができ、職場、家庭、車、学校などの局所的エリアにおける無線接続を容易にするための任意の好適なＲＡＴを利用することもできる。一実施形態では、基地局２１４ｂおよびＷＴＲＵ２０２ｃ、２０２ｄは、ＩＥＥＥ８０２．１１などの無線技術を実装して、無線ローカルエリアネットワーク（ＷＬＡＮ）を確立することができる。別の実施形態では、基地局２１４ｂおよびＷＴＲＵ２０２ｃ、２０２ｄは、ＩＥＥＥ８０２．１５などの無線技術を実装して、無線パーソナルエリアネットワーク（ＷＰＡＮ）を確立することができる。さらに別の実施形態では、基地局２１４ｂおよびＷＴＲＵ２０２ｃ、２０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図２Ａに示すように、基地局２１４ｂは、インターネット２１０への直接接続を有することがある。したがって基地局２１４ｂは、コアネットワーク２０６を介してインターネット２１０にアクセスすることを要求されないことがある。
【００２１】
ＲＡＮ２０４は、コアネットワーク２０６と通信していることがあり、コアネットワーク２０６は、音声、データ、アプリケーション、および／またはＶｏＩＰサービスをＷＴＲＵ２０２ａ、２０２ｂ、２０２ｃ、２０２ｄの１つまたは複数に提供するように構成された任意のタイプのネットワークであってもよい。例えば、コアネットワーク２０６は、呼制御、課金サービス、モバイル位置情報サービス、プリペイド通話、インターネット接続、ビデオ分配などを提供すること、および／または、ユーザ認証などの高レベルセキュリティ機能を行うことができる。図２Ａには示していないが、ＲＡＮ２０４および／またはコアネットワーク２０６は、ＲＡＮ２０４と同じＲＡＴを、または異なるＲＡＴを使用する他のＲＡＮと直接通信または間接通信している場合があることを理解されよう。例えば、Ｅ−ＵＴＲＡ無線技術を使用している可能性があるＲＡＮ２０４に接続されていることに加えて、コアネットワーク２０６は、ＧＳＭ無線技術を使用している別のＲＡＮ（図示しない）とも通信していることがある。
【００２２】
コアネットワーク２０６は、ＷＴＲＵ２０２ａ、２０２ｂ、２０２ｃ、２０２ｄが、ＰＳＴＮ２０８、インターネット２１０および／または他のネットワーク２１２にアクセスするためのゲートウェイとして働くこともできる。ＰＳＴＮ２０８は、旧来の電話サービス（ＰＯＴＳ）を提供する回線交換電話ネットワークを含むことができる。インターネット２１０は、ＴＣＰ／ＩＰインターネットプロトコルスイート中のＴＣＰ、ＵＤＰ、ＩＰなどの共通の通信プロトコルを使用する、相互接続したコンピュータネットワークおよびデバイスのグローバルシステムを含むことができる。ネットワーク２１２は、他のサービスプロバイダによって所有され、かつ／または運用される有線通信ネットワークまたは無線通信ネットワークを含むことができる。例えばネットワーク２１２は、ＲＡＮ２０４と同じＲＡＴを、または異なるＲＡＴを使用することができる、１つまたは複数のＲＡＮに接続された別のコアネットワークを含むことができる。
【００２３】
通信システム２００のＷＴＲＵ２０２ａ、２０２ｂ、２０２ｃ、２０２ｄの一部または全部は、マルチモード機能を含むことができる、すなわち、ＷＴＲＵ２０２ａ、２０２ｂ、２０２ｃ、２０２ｄは、様々な無線リンクを通じて様々な無線ネットワークと通信するための複数のトランシーバを含むことができる。例えば図２Ａに示すＷＴＲＵ２０２ｃは、セルラベースの無線技術を使用することができる基地局２１４ａと通信する、およびＩＥＥＥ８０２無線技術を使用することができる基地局２１４ｂと通信するように構成されることが可能である。
【００２４】
図２Ｂは、例示的ＷＴＲＵ２０２のシステム図である。図２Ｂに示すように、ＷＴＲＵ２０２は、プロセッサ２１８、トランシーバ２２０、送受信要素２２２、スピーカ／マイク２２４、キーパッド２２６、ディスプレイ／タッチパッド２２８、ノンリムーバブルメモリ２３０、リムーバブルメモリ２３２、電源２３４、ＧＰＳチップセット２３６、および他の周辺機器２３８を含むことができる。ＷＴＲＵ２０２は、依然として一実施形態と一致しながら、前述の要素の任意のサブコンビネーションも含むことができることは理解されよう。
【００２５】
プロセッサ２１８は、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、ＡＳＩＣ、ＦＰＧＡ回路、他の型の集積回路（ＩＣ）、状態機械等であることが可能である。プロセッサ２１８は、信号符号化、データ処理、電力制御、入出力処理、および／またはＷＴＲＵ２０２が無線環境で動作できるようにする他の機能を行うことができる。プロセッサ２１８は、トランシーバ２２０に結合されることができ、トランシーバ２２０は、送受信要素２２２に結合されることができる。図２Ｂはプロセッサ２１８およびトランシーバ２２０を別々の構成要素として示しているが、プロセッサ２１８およびトランシーバ２２０は、電子部品パッケージまたはチップに統合されることができることは理解されよう。
【００２６】
送受信要素２２２は、エアインターフェース２１６を通じて基地局（例えば、基地局２１４ａ）へ信号を送信する、または基地局（例えば、基地局２１４ａ）から信号を受信するように構成されることができる。例えば、一実施形態では、送受信要素２２２は、ＲＦ信号を送信し、かつ／または受信するように構成されたアンテナであることができる。別の実施形態では、送受信要素２２２は、例えば、ＩＲ、ＵＶまたは可視光線信号を送信し、かつ／または受信するように構成されたエミッタ／検波器であることができる。さらに別の実施形態では、送受信要素２２２は、ＲＦと光信号の両方を送受信するように構成されることができる。送受信要素２２２は、無線信号の任意の組合せも送信し、かつ／または受信するように構成されることができることは理解されよう。
【００２７】
さらに、送受信要素２２２は図２Ｂでは単一要素として表されるが、ＷＴＲＵ２０２は任意数の送受信要素２２２を含むこともできる。さらに詳細には、ＷＴＲＵ２０２はＭＩＭＯ技術を使用することができる。したがって、一実施形態では、ＷＴＲＵ２０２は、エアインターフェース２１６を通じて無線信号を送受信するための２つ以上の送受信要素２２２（例えば複数のアンテナ）を含むことができる。
【００２８】
トランシーバ２２０は、送受信要素２２２によって送信されることになる信号を変調し、送受信要素２２２によって受信される信号を復調するように構成されることができる。上述のように、ＷＴＲＵ２０２は、マルチモード能力を有することができる。従って、トランシーバ２２０は、ＷＴＲＵ２０２が例えばＵＴＲＡおよびＩＥＥＥ８０２．１１など、複数のＲＡＴによって通信できるための複数のトランシーバを含むことができる。
【００２９】
ＷＴＲＵ２０２のプロセッサ２１８は、スピーカ／マイク２２４、キーパッド２２６、および／またはディスプレイ／タッチパッド２２８（例えば、液晶ディスプレイ（ＬＣＤ）ディスプレイユニットもしくは有機発光ダイオード（ＯＬＥＤ）ディスプレイユニット）に結合されることができ、これらからユーザ入力データを受信することができる。プロセッサ２１８は、スピーカ／マイク２２４、キーパッド２２６、および／またはディスプレイ／タッチパッド２２８にユーザデータを出力することもできる。さらにプロセッサ２１８は、ノンリムーバブルメモリ２３０および／またはリムーバブルメモリ２３２など、任意のタイプの好適なメモリからの情報にアクセスすることもでき、また任意のタイプの好適なメモリにデータを格納することもできる。ノンリムーバブルメモリ２３０は、ＲＡＭ、ＲＯＭ、ハードディスク、または任意のタイプのメモリ記憶装置も含む。リムーバブルメモリ２３２は、ＳＩＭカード、メモリスティック、セキュアデジタル（ＳＤ）メモリカードなどを含む。他の実施形態では、プロセッサ２１８は、サーバまたは家庭用コンピュータ（図示せず）など、ＷＴＲＵ２０２に物理的に設置されていないメモリからの情報にアクセスする、およびこのメモリにデータを格納することができる。
【００３０】
プロセッサ２１８は、電源２３４から電力を受け取ることができ、ＷＴＲＵ２０２内の他の構成要素に対して電力を分配および／または制御するように構成されることができる。電源２３４は、ＷＴＲＵ２０２に電力を供給するための任意の好適なデバイスであってもよい。例えば、電源２３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、その他）、太陽電池、燃料電池などを含むことができる。
【００３１】
プロセッサ２１８は、ＷＴＲＵ２０２の現在の位置に関する位置情報（例えば、経度および緯度）を提供するように構成されることが可能なＧＰＳチップセット２３６に結合されることもできる。ＧＰＳチップセット２３６からの情報に加えて、またはこれに代えて、ＷＴＲＵ２０２は基地局（例えば基地局２１４ａ、２１４ｂ）からエアインターフェース２１６を通じて位置情報を受信し、かつ／または２以上の近傍基地局から受信されている信号のタイミングに基づいてその位置を決定することができる。ＷＴＲＵ２０２は、依然として一実施形態と一致しながら、任意の好適な位置決定方法によって位置情報を取得することができることは理解されよう。
【００３２】
プロセッサ２１８は、他の周辺機器２３８にさらに結合されることができ、他の周辺機器２３８は、追加の特徴、機能、および／または有線接続もしくは無線接続を提供する１つもしくは複数のソフトウェアモジュールおよび／またはハードウェアモジュールを含むことができる。例えば、周辺機器２３８は、加速度計、ｅコンパス、衛星トランシーバ、デジタルカメラ（写真またはビデオ用）、ＵＳＢポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３３】
図２Ｃは、一実施形態によるＲＡＮ２０４およびコアネットワーク２０６のシステム図である。ＲＡＮ２０４は、ＩＥＥＥ８０２．１６無線技術を使用して、エアインターフェース２１６を通じてＷＴＲＵ２０２ａ、２０２ｂ、２０２ｃと通信するアクセスサービスネットワーク（ＡＳＮ）とすることができる。以下にさらに説明するように、ＷＴＲＵ２０２ａ、２０２ｂ、２０２ｃ、ＲＡＮ２０４、およびコアネットワーク２０６の異なる機能エンティティ間の通信リンクは、参照点（reference point）として定義されることが可能である。
【００３４】
図２Ｃに示すように、ＲＡＮ２０４は、基地局２４０ａ、２４０ｂ、２４０ｃ、およびＡＳＮゲートウェイ２４２を含むことができるが、ＲＡＮ２０４は、依然として一実施形態と一致しながら、任意数の基地局およびＡＳＮゲートウェイも含むことができることは理解されよう。基地局２４０ａ、２４０ｂ、２４０ｃは、それぞれＲＡＮ２０４において特定のセル（図示せず）とアソシエートされることが可能であり、それぞれエアインターフェース２１６を通じてＷＴＲＵ２０２ａ、２０２ｂ、２０２ｃと通信するための１つまたは複数のトランシーバを含むことができる。一実施形態では、基地局２４０ａ、２４０ｂ、２４０ｃは、ＭＩＭＯ技術を実装することができる。したがって、例えば基地局２４０ａは、複数のアンテナを使用してＷＴＲＵ２０２ａに無線信号を送信し、ＷＴＲＵ２０２ａから無線信号を受信することができる。基地局２４０ａ、２４０ｂ、２４０ｃは、ハンドオフトリガリング（handoff triggering）、トンネル構築、無線リソース管理、トラフィック分類、サービス品質（ＱｏＳ）ポリシー実行など、モビリティ管理機能を提供することもできる。ＡＳＮゲートウェイ２４２は、トラフィック集約ポイントとして機能することができ、ページング、加入者プロファイルのキャッシング、コアネットワーク２０６へのルーティングなどを担うことができる。
【００３５】
ＷＴＲＵ２０２ａ、２０２ｂ、２０２ｃとＲＡＮ２０４との間のエアインターフェース２１６は、ＩＥＥＥ８０２．１６規格を実行するＲ１参照点として定義されることができる。さらに、ＷＴＲＵ２０２ａ、２０２ｂ、２０２ｃのそれぞれは、コアネットワーク２０６との論理インターフェース（図示せず）を確立することができる。ＷＴＲＵ２０２ａ、２０２ｂ、２０２ｃとコアネットワーク２０６との間の論理インターフェースは、Ｒ２参照点として定義されることができ、Ｒ２参照点は、認証、認可、ＩＰホスト構成管理、および／またはモビリティ管理のために使用されることができる。
【００３６】
基地局２４０ａ、２４０ｂ、２４０ｃのそれぞれの間の通信リンクは、基地局間のＷＴＲＵハンドオーバおよびデータの伝送を容易にするためのプロトコルを含むＲ８参照ポイントとして定義されることができる。基地局２４０ａ、２４０ｂ、２４０ｃとＡＳＮゲートウェイ２４２の間の通信リンクは、Ｒ６参照点として定義されることができる。Ｒ６参照点は、ＷＴＲＵ２０２ａ、２０２ｂ、２０２ｃのそれぞれに関連付けられたモビリティイベントに基づいたモビリティ管理を容易にするためのプロトコルを含むことができる。
【００３７】
図２Ｃに示されるように、ＲＡＮ２０４は、コアネットワーク２０６に接続されることができる。ＲＡＮ２０４とコアネットワーク２０６との間の通信リンクは、例えば、データ伝送およびモビリティ管理能力を容易にするためのプロトコルを含むＲ３参照点として定義されることができる。コアネットワーク２０６は、モバイルＩＰホームエージェント（ＭＩＰ−ＨＡ）２４４と、認証、許可、課金（ＡＡＡ）サーバ２４６と、ゲートウェイ２４８とを含むことができる。前述の要素のそれぞれはコアネットワーク２０６の一部として示されているが、これらの要素のいずれか１つがコアネットワーク事業者以外の事業体によって所有される、および／または動作される場合があることは理解されよう。
【００３８】
ＭＩＰ−ＨＡは、ＩＰアドレス管理を担うことができ、ＷＴＲＵ２０２ａ、２０２ｂ、２０２ｃが様々なＡＳＮおよび／または様々なコアネットワーク間でローミングできるようにすることができる。ＭＩＰ−ＨＡ２４４は、ＷＴＲＵ２０２ａ、２０２ｂ、２０２ｃに、インターネット２１０などのパケット交換ネットワークへのアクセスを提供し、ＷＴＲＵ２０２ａ、２０２ｂ、２０２ｃとＩＰ対応デバイスとの間の通信を容易にすることができる。ＡＡＡサーバ２４６は、ユーザ認証およびユーザサービスをサポートすることを担うことができる。ゲートウェイ２４８は、他のネットワークとの網間接続を容易にすることができる。例えばゲートウェイ２４８は、ＷＴＲＵ２０２ａ、２０２ｂ、２０２ｃに、ＰＳＴＮ２０８などの回線交換ネットワークへのアクセスを提供し、ＷＴＲＵ２０２ａ、２０２ｂ、２０２ｃと伝統的な固定通信デバイスとの間の通信を容易にすることができる。さらにゲートウェイ２４８は、ＷＴＲＵ２０２ａ、２０２ｂ、２０２ｃにネットワーク２１２へのアクセスを提供することができ、ネットワーク２１２は、他のサービスプロバイダによって所有されるおよび／または運用される他の有線ネットワークまたは無線ネットワークを含むことがある。
【００３９】
図２Ｃには示されないが、ＲＡＮ２０４は、他のＡＳＮに接続可能であり、コアネットワーク２０６は、他のコアネットワークに接続可能であることは理解されよう。ＲＡＮ２０４と他のＡＳＮとの間の通信リンクは、Ｒ４参照点として定義されることができ、Ｒ４参照点は、ＲＡＮ２０４と他のＡＳＮとの間のＷＴＲＵ２０２ａ、２０２ｂ、２０２ｃのモビリティを調整するためのプロトコルを含むことができる。コアネットワーク２０６と他のコアネットワークとの間の通信リンクは、Ｒ５参照点として定義されることができ、Ｒ５参照点は、ホームコアネットワークと訪問先コアネットワークとの間の網間接続を容易にするプロトコルを含むことができる。他のネットワーク２１２は、ＩＥＥＥ８０２．１１ベースの無線ローカルエリアネットワーク（ＷＬＡＮ）２６０にさらに接続されることができる。ＷＬＡＮ２６０は、アクセスルータ２６５を含むことができる。アクセスルータは、ゲートウェイ機能を含むことができる。アクセスルータ２６５は、複数のアクセスポイント（ＡＰ）２７０ａ、２７０ｂと通信していることがある。アクセスルータ２６５とＡＰ２７０ａ、２７０ｂとの間の通信は、有線のイーサネット（登録商標）（ＩＥＥＥ８０２．３規格）、または任意のタイプの無線通信プロトコルによることができる。ＡＰ２７０ａは、エアインターフェースを通じてＷＴＲＵ２０２ｄと無線通信している。
【００４０】
パッシブスキャニング機構を改善して、ＦＩＬＳを容易にし、かつ／またはスキャニングに使用されるＭＡＣフレームの通信時間（airtime）占有を低減することが望ましい。ＡＰは、完全なビーコンインスタンスの間に、本明細書では「ＦＩＬＳ探索（ＦＤ）フレーム」と呼ばれるＭＡＣフレームを送信して、高速初期リンク設定のための高速ＡＰ／ネットワーク探索をサポートすることができる。ＦＤフレームは、定期的におよび／または不定期的に伝送されることができる。定期的に伝送される場合、ＦＤフレームの周期性は変更されることがある。ＦＤフレームは、パブリックアクションフレームであり、次のうちの１つとすることができる：修正された測定パイロットフレーム、修正された短いビーコンフレーム、または新しく設計されたＭＡＣパブリックアクションフレーム。
【００４１】
ＦＤフレームは、５ＧＨｚ帯で（送信機の動的周波数選択（ＤＦＳ）所有権を与えられた）２０、４０、８０、１６０ＭＨｚのうちの２０ＭＨｚで非ＨＴ重複物理層コンバージェンスプロシージャ（ＰＬＣＰ）プロトコルデータユニット（ＰＰＤＵ）として伝送されることができる。ＦＤフレームは次の情報項目を含むことができる：ＳＳＩＤ、能力、アクセスネットワークオプション、セキュリティ、ＡＰ構成変更カウント（ＣＣＣ）、ＡＰのネクストターゲットビーコン伝送時間（ＴＢＴＴ）、および隣接ＡＰの次のＴＢＴＴ。
【００４２】
パッシブスキャニングの性能を改善する１つの手法は、ＳＴＡがプローブ要求フレームを送信することなくＡＰ／ネットワーク情報を取得することである。例は、測定パイロット（ＭＰ）フレームまたは短いビーコンフレームを使用することを含む。
【００４３】
ＭＰフレームは、ビーコン間隔と比べて短い間隔でＡＰによって擬似定期的に伝送されるコンパクトなパブリックアクションフレームである。ＭＰフレームは、ビーコンフレームよりも少ない情報を提供して、要求される短い間隔を可能にする。ＭＰフレームは、パッシブスキャニングによるＢＳＳの存在の高速探索でＳＴＡを支援する、ＳＴＡがパッシブスキャニングによる隣接ＡＰ信号強度測定結果を迅速に収集することを可能にする、およびＳＴＡがプローブ要求を伝送できるようにするために使用される。
【００４４】
ＭＰフレームの構成パラメータは、ＭＰに対するサポートのレベル、およびＭＰフレーム間隔を含む。図３は、ＭＡＣヘッダ３０２と、フレームボディ３０４と、ＦＣＳフィールド３０６とを含んだ、ＭＰフレーム３００の例示的フォーマットを示す。ＭＡＣヘッダ３０２は、フレーム制御フィールド３１０と、継続時間フィールド３１２と、宛先アドレスフィールド３１４と、発信元アドレスフィールド３１６と、ＢＳＳＩＤフィールド３１８と、シーケンス制御フィールド３２０と、ＨＴ制御フィールド３２２とを含む。
【００４５】
フレーム制御フィールド３１０は、プロトコルバージョンサブフィールド３３０と、タイプサブフィールド３３２と、サブタイプサブフィールド３３４と、ｔｏ分配システム（ＤＳ）サブフィールド３３６と、ｆｒｏｍ  ＤＳサブフィールド３３８と、追加フラグメント（more fragments）サブフィールド３４０と、リトライ（retry）サブフィールド３４２と、電力管理（power management）サブフィールド３４４と、追加データ（more data）サブフィールド３４６と、保護フレーム（protected frame）サブフィールド３４８と、オーダー（order）サブフィールド３５０とを含む。
【００４６】
フレームボディ３０４は、アクションフレーム部分３６０と、１つまたは複数のベンダ固有ＩＥ３６２と、オプションの管理メッセージ完全性符号（ＭＩＣ）要素３６４とを含む。アクションフレーム部分３６０は、カテゴリフィールド３７０と、パブリックアクションフィールド３７２と、能力情報フィールド３７４と、簡約された国文字列（country string）フィールド３７６と、動作クラス（operating class）フィールド３７８と、チャネルフィールド３８０と、ＭＰ間隔フィールド３８２と、１つまたは複数のオプションのサブ要素３８４とを含む。能力情報フィールド３７４は、スペクトル管理サブフィールド３９０と、短いスロット時間サブフィールド３９２と、予約済みサブフィールド３９４とを含む。
【００４７】
ＭＰフレームは、ＡＰによってブロードキャストされ、伝送は、擬似乱数的である。基本的なＭＰ間隔は、ビーコン間隔よりも小さい。ＴＢＴＴからの最小ギャップを満たす目標測定パイロット伝送時間（ＴＭＰＴＴ）ごとに、ＡＰは、アクセスカテゴリ音声（ＡＣ＿ＶＯ）の拡張された分配チャネルアクセス（enhanced distributed channel access：ＥＤＣＡ）パラメータを使用して、キューに入れられた他のフレームの前に、ＭＰフレームを伝送のための次のフレームとしてスケジュールする。ＴＭＰＴＴとＴＢＴＴとの間の最小ギャップは、ＭＰ間隔の２分の１である。ＴＭＰＴＴでは、ＡＰがＭＰフレームを送信するのに媒体が利用できない場合、ＡＰは１ＭＰ間隔という最大期間の間、ＭＰ伝送を遅らせ、次のＴＭＰＴＴで遅延ＭＰフレーム伝送をドロップする。
【００４８】
ＭＰフレームは、ＦＤフレームとして機能することができるが、ＦＤフレームでは現在のＭＰフレーム設計に存在するよりも多くの能力情報が搬送される必要があるので、それは適切ではない。この追加の能力情報は、例えば、完全なＴＢＴＴ／通常のＴＢＴＴを指し示す時間ポインタフィールド、スキャン中のＳＴＡが通常のビーコンまたはプローブ要求／応答を待つ必要がないように、リンク設定のための全ての不可欠な情報、隣接ＢＳＳ動作パラメータの探索を可能にする、隣接ＢＳＳに関する情報、および他のＢＳＳのＦＩＬＳビーコン伝送時間の情報を含むことができる。
【００４９】
短いビーコンフレームは、詳細には、小さいチャネル帯域幅、例えば１ＭＨｚ、２ＭＨｚなどを有するシステムにおいて、ビーコン伝送の媒体占有を低減し、したがって結果として低減された電力消費（低減されたＡＰ伝送時間および低減されたＳＴＡ受信時間）がもたらされるように設計される。短いビーコンフレームは、長いビーコン間隔、例えば５００ｍｓ（一般的に使用される１００ｍｓビーコン間隔よりも５倍長い）を可能にするが、長いスリープ期間にあり、ランダム時間にウェイクアップする可能性があるＳＴＡ、例えばマシンツーマシン（machine-to-machine）用途のメータ／センサに対して迅速な同期を依然として実現することを意図される。
【００５０】
完全なビーコンの同じオーバヘッドに対して、短いビーコンフレームフォーマットは、ビーコンがより頻繁に伝送されることを可能にし、ランダム時間にウェイクアップする非同期ＳＴＡに対する同期時間を改善し、迅速に同期することができる。短いビーコンフレームは、ＡＰの存在をアドバタイズすること、ＳＴＡの同期、ＳＴＡに伝送させるために必要とされる最小情報を共有すること、およびＴＩＭ（traffic indication map）などの省電力表示（power saving indication）を含む、ビーコンの主要機能のための不可欠な情報のみを搬送する。他の不可欠ではない情報は、完全なビーコンから、またはプローブ要求／応答機構を使用して、アソシエーションプロセス中に検索されることができる。
【００５１】
図４は、フレーム制御フィールド４０２と、発信元アドレス（ＳＡ）フィールド４０４と、タイムスタンプフィールド４０６と、変更シーケンスフィールド４０８と、次の完全なビーコンの時間フィールド４１０と、圧縮されたＳＳＩＤフィールド４１２と、アクセスネットワークオプションフィールド４１４と、１つまたは複数のオプションのＩＥ４１６と、ＦＣＳフィールド４１８とを含む、例示的な短いビーコンフレーム４００フォーマットを示す。
【００５２】
フレーム制御フィールド４０２は、バージョンサブフィールド４２０と、タイプサブフィールド４２２と、サブタイプサブフィールド４２４と、次の完全なビーコン存在時間（time of next full beacon present）サブフィールド４２６と、ＳＳＩＤ存在サブフィールド４２８と、網間接続存在サブフィールド４３０と、ＢＳＳ帯域幅サブフィールド４３２と、セキュリティサブフィールド４３４と、予約済みサブフィールド４３６とを含む。サブフィールド４２６〜４３０は、（図４では破線矢印で示されるように）対応するフィールド４１０〜４１４が短いビーコンフレーム４００に存在するかどうかを示すために使用される。
【００５３】
短いビーコンフレームの要件は、次の情報フィールドを備えた、１７バイトの最小フレームサイズを含む：ＢＳＳ帯域幅、ＳＡ、タイムスタンプ、および変更シーケンス値。短いビーコンフレームはまた、フレーム制御（ＦＣ）フィールドが次の完全なビーコンの時間、圧縮されたＳＳＩＤ、およびアクセスネットワークオプションを示すための３ビットのインジケータなど、オプションの情報フィールド、並びに様々なサイズを有するオプションのＩＥを含むこともできる。
【００５４】
短いビーコンフレームが設計された使用事例は、ＦＤフレーム使用事例とは異なるので、短いビーコンフレームフォーマットは、ＦＤフレームを有して使用するのに適していない可能性がある。短いビーコンフレーム使用事例は、アソシエートされないＳＴＡ（例えば、長いスリープサイクルを有するメータおよびセンサ）と、アソシエートされるＳＴＡの両方を含み、レガシーＳＴＡをサポートする必要はない。より小さいチャネルサイズおよびより長いビーコン間隔とともに（１００ｋｂｐｓもの）低伝送率のために、非常に高い無線媒体占有が予測される。さらに、ＦＤフレーム使用事例は、主としてアソシエートされないＳＴＡを含み、レガシーＳＴＡとの互換性を必要とし、より大きい従来のチャネルサイズで作動する。さらに、様々な使用事例は、様々なフレーム内容をサポートする。短いビーコンフレームでは、「変更シーケンス」情報を含むことが重要であり、それは、アソシエートされるＳＴＡのＴＩＭを必要とするが、ＦＤフレーム使用事例は、「変更シーケンス」値またはＴＩＭへのサポートを必要としない。
【００５５】
現在のＭＡＣフレームフォーマットは、ＦＩＬＳ探索（ＦＤ）ＦＤフレームサイズを最小化する、およびＦＩＬＳ対応のＡＰベースのＷＬＡＮシステムにおいてレガシー非ＡＰ  ＳＴＡがＦＩＬＳ対応の非ＡＰ  ＳＴＡと共存することを可能にするという目的のために、ＦＩＬＳ探索（ＦＤ）フレームを設計する際に問題を提示する。
【００５６】
ＦＤフレーム設計目的の１つは、無線媒体占有を低減することであり、これは、ＦＤフレームが小さいサイズを有する、好ましくはビーコンフレームよりも小さいことを必要とする。例えば、ＷＬＡＮシステムトラフィック測定調査に基づいて、典型的なビーコンフレームボディサイズは、約１３０バイトであり、したがってＦＤフレームボディは、５０バイト未満であることが望まれる。これは、２つの設計問題を課す、すなわちＦＤフレーム中の各内容項目に対して必要な情報を識別し、様々な長さ情報項目およびＦＤフレーム中のオプションの情報項目を効率的にサポートする。
【００５７】
現在、情報要素（ＩＥ）は、可変長情報項目およびオプションの情報項目を符号化するために最も一般的に使用されるフォーマットである。各ＩＥに対して２バイトのオーバヘッド、即ち、要素ＩＤフィールド（１バイト）および長さフィールド（１バイト）がある。ＩＥはまた、長さフィールドによってそのサイズが指定された情報ボディフィールドも含む。ＦＩＬＳ探索必須内容項目およびオプション内容項目とともに、ＳＳＩＤ（可変長情報項目）と、６つの他のオプション情報項目とを含む、７つのＩＥが必要とされる（符号化オーバヘッドのうちの１４バイト）。従って、可変長情報項目およびオプション情報項目をサポートするために、ＦＤフレームにおいて、代替的符号化方式が必要とされる。
【００５８】
次の情報は、高速ＡＰ／ネットワーク選択を容易にするために、ＦＤフレームに含まれることが可能である：次のＴＢＴＴまでの時間、能力情報、ＢＳＳ負荷情報、セキュリティ情報、アクセスネットワークオプション、および隣接ＡＰ情報。
【００５９】
ＴＢＴＴ情報は、現在、ＡＰとＳＴＡとの間で同期される共通クロックに基づいて時間値として提供される。例えば、次のＴＢＴＴは、通常のビーコンフレーム中の２つのパラメータ、すなわち８バイトのタイムスタンプ、および２バイトのビーコン間隔フィールドから導出されることが可能である。次のＴＢＴＴに必要なタイムスタンプ情報は、３バイトの次のＴＢＴＴ時間情報フィールドによって、ＡＰのタイムスタンプの下位３バイトを使用して提供される。共通の同期されたクロックに基づいた時間値が使用されるとき、ＳＴＡが次のＴＢＴＴ時間情報を正しく解釈するために、ＡＰとＳＴＡとの間で同期が必要とされる。ＦＤフレームは、初期リンク設定中にＳＴＡによって受信される最初のフレームとなることを意図されるので、タイムスタンプベースのパラメータは、ＦＤフレームにおいて次のＴＢＴＴ情報を示すために適切ではない。これらの欠点に対処するために、（１つまたは複数の）代替的方法が必要とされる。
【００６０】
次のＴＢＴＴまでの時間のインジケーションが、現在のＦＤフレームの伝送中のＡＰからの次の通常の完全なビーコンフレームの到着時間を示す。インジケーションは、時間単位（ＴＵ）、すなわち、１０２４μｓの数で、１バイトを使用する。オフセット値は、現在のＦＤフレーム伝送時間から参照される。
【００６１】
能力情報は、高速ＡＰ／ネットワーク探索でＳＴＡを支援し、例えば短いプリアンブルもしくはパケット型２値畳み込み符号（ＰＢＣＣ）などのＰＨＹ能力インジケーション、セキュリティ能力インジケーション、ＥＳＳインジケータ、短い時間スロット、スペクトル管理情報およびＩＰ４／ＩＰｖ６インジケーションを含むが、これらに限定されない。
【００６２】
既存ＢＳＳ負荷情報の多くは、ＢＳＳによって必要とされないことがある。従って、ＡＰ／ＢＳＳ負荷の単純なインジケーションが使用されることがある。例えば、ＡＰ／ＢＳＳの現在の負荷は、１バイト長もの短いフィールドに圧縮されることがあり、チャネル利用、平均アクセス遅延、および／または現在のＡＰ負荷を正確に反映する他の測定を含む。１つまたは２つのパラメータは、ＢＳＳ負荷をシグナルするのに十分であることがある。一実施形態では、平均アクセス遅延またはチャネル利用のための１バイトのフィールドが使用されることがある。別の実行では、平均アクセス遅延およびチャネル利用の両方のための１バイトのフィールドが使用されることが可能であり、５ビットが平均アクセス遅延に使用され、３ビットがチャネル利用に使用される。
【００６３】
セキュリティ情報は、２から４オクテットで表されることが可能なロバストセキュリティネットワーク要素（ＲＳＮＥ）と、プライバシー能力インジケーションとを含むことができる。
【００６４】
他のセキュリティ情報検討事項（considerations）は、追加のＦＩＬＳフィールドを含むことによって対処されることが可能である。例えば、ＡＰは、それがＦＩＬＳ拡張可能認証プロトコル（ＥＡＰ）および／またはＦＩＬＳ非ＥＡＰ認証など、最適化されたＦＩＬＳ認証手順をサポートすることをアドバタイズすることができる。ＦＩＬＳ認証手順のＡＰのサポートは、ＲＳＮＥ能力フィールド中のビットを使用してフラグを立てられることが可能である。このような場合、追加フィールドがＲＳＮＥに追加されて、特定のＦＩＬＳ認証手順（例えば、ＦＩＬＳ識別（identity）、暗号スイート（cryptographic suites）など）の追加属性を搬送することができる。
【００６５】
アクセスネットワークオプションは、（アクセスネットワークタイプを含む）ＡＰ／ネットワークによって提供されるアクセスサービスを示す。図５は、ＦＤフレームにおいてこの情報をシグナリングするために使用されることができるアクセスネットワークオプション（ＡＮＯ）ＩＥ５００フォーマットを示す。アクセスネットワークオプションＩＥ５００は、アクセスネットワークタイプフィールド５０２と、インターネットフィールド５０４と、ＡＳＲＡ（additional step required for access）フィールド５０６と、ＥＳＲ（emergency services reachable）フィールド５０８と、ＵＥＳＡ（unauthenticated emergency service accessible）フィールド５１０とを含む。
【００６６】
隣接ＡＰは、現在、そのＢＳＳＩＤ（６バイト）またはＳＳＩＤ（一般的には６から８バイト、ただし３２バイトも可能）を使用して識別される。複数の隣接ＡＰが存在するとき、隣接ＡＰ情報項目は、ＦＤフレームに隣接ＡＰ情報を含むことの有効性が、最小限の必要情報が含まれて達成可能となるように、ＦＤフレームで整理される必要がある。
【００６７】
隣接ＡＰ情報は、隣接ＡＰ／チャネルに関する情報を提供し、チャネルクラス、チャネル数、次のＴＢＴＴ、および場合によりＢＳＳＩＤもしくはＳＳＩＤを含む。図６は、ＦＤフレームで使用するための隣接ＡＰ  ＩＥ６００の例を示す。隣接ＡＰ  ＩＥ６００は、要素ＩＤフィールド６０２と、長さフィールド６０４と、各隣接ＡＰのための情報６０６とを含む。隣接ＡＰ６０６のための情報は、動作クラスフィールド６１０と、動作チャネルフィールド６１２と、次のＴＢＴＴまでの時間フィールド６１４とを含む。
【００６８】
次の情報は、ＡＰの存在をアドバタイズするために、ＦＤフレームに含まれることが可能である：ＢＳＳＩＤ、圧縮されたＳＳＩＤおよびチャネル記述子。ＢＳＳＩＤは、各ＢＳＳを一意に識別し、インフラストラクチャＢＳＳのためのＡＰの６バイトのＭＡＣアドレスである。ＢＳＳＩＤ中の情報は、ＦＤフレームのＭＡＣヘッダにおいて、ＳＡ（発信元アドレス）フィールドまたはアドレス−３フィールドで搬送されることが可能である。
【００６９】
圧縮されたＳＳＩＤは、拡張サービスセット（ＥＳＳ）または独立基本サービスセット（ＩＢＳＳ）の識別情報を含む。完全なＳＳＩＤを知っているデバイスが、圧縮されたＳＳＩＤを復号することによって、ＢＳＳの存在を探索することができる。ＳＳＩＤに対して標準化されたハッシュ関数が行われて、圧縮されたＳＳＩＤを作成することが可能である。ある実装では、圧縮されたＳＳＩＤフィールドは、４バイト長である。
【００７０】
チャネル記述子は、国、動作クラス、および動作チャネルによって指定される、動作チャネルのためのチャネル周波数およびスペーシングを含む。国文字列は、ＳＴＡが動作している国を識別し、簡約された国文字列（例えば、文字列中の初めの２バイト）がＦＤフレームに使用されることが可能である。動作クラスは、動作チャネルの動作クラスを識別する。動作チャネルは、動作クラス内の動作チャネルを識別する。
【００７１】
短いビーコンフレームに使用される短縮されたタイムスタンプ（ＡＰにおけるタイムスタンプの最下位４バイト）は、ＦＤフレームに再使用されることが可能である。
【００７２】
ロバストセキュリティネットワーク要素（ＲＳＮＥ）を最適化することのいくつかのバージョンについて、図７〜図１２で説明する。これらの実施形態のいずれも、以下に開示される実施形態と、特に図１５〜図２６のいずれかに開示されるＦＤフレーム構造と、結合できるものである。図７は、要素ＩＤフィールド７０２と、長さフィールド７０４と、バージョンフィールド７０６と、グループデータ暗号化スイートフィールド７０８と、ペア暗号化スイートカウントフィールド７１０と、ｍがペア暗号化スイートカウントを示す、ペア暗号化スイートリストフィールド７１２と、認証および鍵管理（ＡＫＭ）スイートカウントフィールド７１４と、ｎがＡＫＭスイートカウントを示す、ＡＫＭスイートリストフィールド７１６と、ＲＳＮ能力フィールド７１８と、ペアマスター鍵（ＰＭＫ）識別子（ＰＭＫＩＤ）カウントフィールド７２０と、ｓがＰＭＫＩＤカウントを示す、ＰＭＫＩＤリストフィールド７２２と、グループ管理暗号化スイートフィールド７２４とを含む、ＲＳＮＥ７００フォーマットを示す。ＲＳＮＥは、最大２５５オクテットの長さとすることができ、それがＦＤフレームに含まれるには、ＲＳＮＥ最適化が必要とされる。言い換えれば、図７〜図１２に関する詳細な説明を参照すると、セキュリティフィールドは、ＡＰによって使用される１つまたは複数のタイプのセキュリティを示す。
【００７３】
図８は、固定長の４オクテットコーディングを使用するＦＤフレームで使用するための最適化されたＲＳＮＥ８００を示す。ＲＳＮＥ８００は、４ビット長とすることができる、グループデータ暗号化スイートフィールド８０２と、８ビット長とすることができ、最大２ペアスイートを可能にするペア暗号化スイートリストフィールド８０４と、８ビット長とすることができ、最大２ＡＫＭスイートを可能にするＡＫＭスイートリストフィールド８０６と、８ビット長とすることができる、最適化されたＲＳＮ能力フィールド８０８と、４ビット長とすることができる、グループ管理暗号化スイートフィールド８１０とを含む。ＲＳＮ能力フィールド８０８は、１ビット事前認証サブフィールドと、１ビット管理フレーム保護要求サブフィールドとを含むことができる。ＲＳＮ能力フィールド８０８の残りの６ビットは、ＦＩＬＳ認証手続きのＡＰサポートのためのフラグを含む、他の情報、例えば１ビットＦＩＬＳ  ＥＡＰ認証フィールド、および１ビットＦＩＬＳ非ＥＡＰ認証フィールドを搬送することができる。
【００７４】
図９は、最大４オクテットの可変長コーディングを使用するＦＤフレームで使用するための最適化されたＲＳＮＥ９００を示す。ＲＳＮＥ９００は、４ビット長とすることができる、グループデータ暗号化スイートフィールド９０２と、２ビット長とすることができる、ペア暗号化スイートカウントフィールド９０４と、ペア暗号化スイートカウントフィールド９０４の値によって決まる、０ビット、４ビット、または８ビット長とすることができる、ペア暗号化スイートリストフィールド９０６と、２ビット長とすることができる、ＡＫＭスイートカウントフィールド９０８と、ＡＫＭスイートカウントフィールド９０８の値によって決まる、０ビット、４ビット、または８ビット長とすることができる、ＡＫＭスイートリストフィールド９１０と、４ビット長とすることができる、最適化されたＲＳＮ能力フィールド９１２と、４ビット長とすることができる、グループ管理スイートフィールドとを含む。ＲＳＮ能力フィールド９１２は、１ビット事前認証サブフィールドと、１ビット管理フレーム保護要求サブフィールドと、１ビットＦＩＬＳ  ＥＡＰ認証サブフィールドと、１ビットＦＩＬＳ非ＥＡＰ認証サブフィールドとを含むことができる。
【００７５】
図１０は、４オクテットの固定長ビットマップコーディングを使用するＦＤフレームで使用するための最適化されたＲＳＮＥ１０００を示す。ＲＳＮＥ１０００は、４ビット長とすることができる、グループデータ暗号化スイートフィールド１００２と、８ビット長とすることができ、最大８ペアスイート選択を可能にするペア暗号化スイートリストフィールド１００４と、８ビット長とすることができ、最大８ＡＫＭスイート選択を可能にするＡＫＭスイートリストフィールド１００６と、８ビット長とすることができる、最適化されたＲＳＮ能力フィールド１００８と、４ビット長とすることができる、グループ管理スイートフィールドとを含む。ＲＳＮ能力フィールド１００８は、１ビット事前認証サブフィールドと、１ビット管理フレーム保護要求サブフィールドとを含むことができる。ＲＳＮ能力フィールド１００８の残りの６ビットは、ＦＩＬＳ認証手続きのＡＰサポートを反映する、他の情報を搬送することができる。
【００７６】
図１１は、固定長の２オクテットコーディングを使用するＦＤフレームで使用するための最適化されたＲＳＮＥ１１００を示す。ＲＳＮＥ１１００は、４ビット長とすることができる、結合されたグループおよびペア暗号化スイートフィールド１１０２と、４ビット長とすることができる、ＡＫＭスイートリストフィールド１１０４と、４ビット長とすることができる、最適化されたＲＳＮ能力フィールド１１０６と、４ビット長とすることができる、グループ管理スイートフィールド１１０８とを含む。ペア暗号化スイートフィールド１１０２は、グループデータとペアデータの両方を保護するために使用されるように選択される暗号化スイートを表す。ＲＳＮ能力フィールド１１０６は、１ビット事前認証サブフィールドと、１ビット管理フレーム保護要求サブフィールドと、１ビットＦＩＬＳ  ＥＡＰ認証サブフィールドと、１ビットＦＩＬＳ非ＥＡＰ認証サブフィールドとを含むことができる。
【００７７】
図１２は、固定長の２オクテットコーディングを使用するＦＤフレームで使用するための代替の最適化されたＲＳＮＥ１２００を示す。ＲＳＮＥ１２００は、４ビット長とすることができる、グループ暗号化スイートフィールド１２０２と、４ビット長とすることができる、ペア暗号化スイートリストフィールド１２０４と、４ビット長とすることができる、ＡＫＭスイートリストフィールド１２０６と、４ビット長とすることができる、グループ管理暗号化スイートフィールド１２０８とを含む。ＲＳＮＥ１２００では、ＲＳＮ能力フィールドは、ＦＤフレームに含まれない。
【００７８】
ＲＳＮＥ７００〜１２００では、暗号化スイートは、表１に示すように４ビットで表されることが可能である。
【００７９】
【表１】
0006042981.tif 000002
【００８０】
ＲＳＮＥ７００〜１２００において、ＡＫＭスイートは、表２に示すように４ビットで表されることが可能である。
【００８１】
【表２】
0006042981.tif 000003
【００８２】
ＰＨＹ固有の情報および電力制限を含む、次の情報は、ＦＤフレームに含まれて、ＳＴＡが送信できるようにすることが可能である。ＰＨＹ固有の情報は、８０２．１１ｇ、８０２．１１ｎ、および８０２．１１ａｃ  ＰＨＹ固有の情報を含む。８０２．１１ｇ  ＰＨＹ固有の情報は、拡張レートＰＨＹ（ＥＲＰ）ＩＥからの３ビット（NonERP_Present、Use_Protection、およびBarker_Preamble_Mode）を含む。５つの予約済みビットは、能力フィールド中の他の情報をシグナリングするために使用されることが可能である。
【００８３】
８０２．１１ｎ  ＰＨＹ固有の情報は、表３に示すように１バイト情報ボディに圧縮されることが可能である短縮されたＨＴ能力要素を含むことができる。
【００８４】
【表３】
0006042981.tif 000004
【００８５】
８０２．１１ｎ  ＰＨＹ固有の情報は、プライマリチャネルフィールドのみを使用する、１バイト情報ボディに圧縮されることが可能な短縮されたＨＴ動作要素もまた含むことができる。オプションで、１ビットＳＴＡチャネル幅サブフィールドが含まれることが可能であり、表３中の１予約済みビットが、オーバヘッドを保存するために再使用されることが可能である。
【００８６】
図１３は、ＦＤフレームに使用するためのＨＴ  ＰＨＹ固有ＩＥ１３００の例を示す。ＨＴ  ＰＨＹ固有ＩＥ１３００は、ＳＴＡによってサポートされるチャネル幅を示す、サポートされるチャネル幅セットフィールド１３０２と、ＨＴグリーンフィールドフォーマットを有するＰＰＤＵを受信するためのサポートを示す、ＨＴグリーンフィールドフィールド１３０４と、ＳＴＢＣを使用したＰＰＤＵの伝送のサポートを示す伝送空間−時間ブロックコーディング（ＳＴＢＣ）フィールド１３０６と、ＳＴＢＣを使用したＰＰＤＵを受信するためのサポートを示す受信ＳＴＢＣフィールド１３０８と、予約済み部分１３１０と、４０ＭＨｚ伝送が禁止されるかどうかを示す４０ＭＨｚ非許容フィールド１３１２と、プライマリ動作チャネルを示すプライマリチャネルフィールド１３１４とを含む。
【００８７】
８０２．１１ａｃ  ＰＨＹ固有の情報は、表４に示すように１バイト情報ボディに圧縮されることが可能である短縮されたＶＨＴ能力要素を含むことができる。
【００８８】
【表４】
0006042981.tif 000005
【００８９】
８０２．１１ａｃ  ＰＨＹ固有の情報は、短縮されたＶＨＴ動作要素と、４バイト情報ボディに圧縮されることが可能であるＨＴ動作要素とを含むこともできる。
【００９０】
ＢＳＳ動作チャネル幅は、ＨＴ動作要素ＨＴ動作情報フィールド中のＳＴＡチャネル幅サブフィールド、およびＶＨＴ動作要素ＶＨＴ動作情報フィールド中のチャネル幅サブフィールドの組合せによって示されることができる。ＳＴＡチャネル幅サブフィールドは、上記の表４に示すように、１バイト情報ボディ中の他の項目で埋められる可能性がある。
【００９１】
チャネライゼーションは、ＨＴ動作要素プライマリチャネルフィールドおよびＶＨＴ動作要素ＶＨＴ動作情報フィールドチャネル中心周波数セグメント０およびチャネル中心周波数セグメント１サブフィールドにおける情報の組合せを使用することによって、示されることが可能である。
【００９２】
図１４は、ＦＤフレームに使用するためのＶＨＴ  ＰＨＹ固有ＩＥ１４００の例を示す。ＶＨＴ  ＰＨＹ固有ＩＥ１４００は、ＶＨＴ能力要素から圧縮された要素を有する第１の部分１４０２と、ＨＴ動作要素から圧縮された要素を有する第２の部分１４０４と、ＶＨＴ動作要素からの要素を有する第３の部分１４０６とを含む。第１の部分１４０２は、サポートされるチャネル幅セットフィールド１４１０と、送信ＳＴＢＣフィールド１４１２と、受信ＳＴＢＣフィールド１４１４とを含む。第２の部分１４０４は、ＳＴＡチャネル幅フィールド１４１６と、予約済み部分１４１８と、プライマリチャネルフィールド１４２０とを含む。第３の部分１４０６は、チャネル幅フィールド１４２２と、チャネル中心周波数セグメント０フィールド１４１２と、チャネル中心周波数セグメント１フィールド１４２６とを含む。
【００９３】
電力制限情報は、ＳＴＡが現在のチャネルにおけるローカル最大伝送電力を決定することを可能にする必要な情報を含む。ビーコンまたはプローブ応答フレーム中の１バイト電力制限ＩＥは、ＦＤフレームにおいてこの情報を信号で伝えるために再使用されることが可能である。
【００９４】
上述のように、ＡＰは、完全なビーコンインスタンス間にＦＤフレームを送信して、高速初期リンク設定のための高速ＡＰ／ネットワーク探索をサポートすることができる。これに対応して、一実施形態は、完全なビーコンフレームのインスタンス間でＡＰからＦＤフレームを受信することと、受信されたＦＤフレームに基づいてＡＰとアソシエートするかどうかを決定することとを含む、ワイヤレスステーションで使用する方法に関連する。ＦＤフレームおよびそれが使用される方法のさらなる詳細について、図面を参照して、特に上記で開示された実施形態に関連する特徴、および本発明の概念の範囲内で可能にされる特定の実施形態の特徴の様々な組合せを開示する図１５〜図２６を参照して、以下に開示する。上記の実施形態と結合できる特定の実施形態および以下に開示される他の特定の実施形態によれば、ＦＤフレーム制御フィールドと呼ばれる制御フィールドは、ＦＤフレームに導入されて、ＦＤフレームボディ中の内容項目の効率的な符号化をサポートする。図１５は、ＦＤフレームヘッダ１５０２、ＦＤフレームボディ１５０４、およびＦＣＳフィールド１５０６を含んだ、ＦＤフレーム１５００の例を示す。ＦＤフレームヘッダ１５０２は、使用されるフレームフォーマットによって決まる、ＭＡＣ管理フレームヘッダと、他のフレーミングフィールドとを含むことができる。ＦＤフレームボディ１５０４は、ＦＤフレーム制御フィールド１５１０と、ＦＤフレーム内容１５１２とを含む。
【００９５】
ＦＤフレーム制御フィールド１５１０は、ＦＤフレーム１５００を受信するＳＴＡが制御フィールドを厳密に配置することができる限り、ＦＤフレームボディ１５０４中のいかなる確定的場所（deterministic place）に配置されることも可能である。一実施形態では、ＦＤフレーム制御フィールド１５１０は、ＦＤフレームボディ１５０４中の最初の情報フィールドとして配置されることが可能である。
【００９６】
ＦＤフレーム制御フィールド１５１０は、ＦＤフレームボディ１５０４中の内容項目を確定的に復号し、解釈する際に受信ＳＴＡをサポートするように使用される、１つまたは複数の制御サブフィールドを含む。典型的な例は、ＦＤフレームボディ１５０４中のオプション情報項目の存在を示すこと、およびＦＤフレームボディ１５０４に可変サイズの情報項目を入れることを含む。ある実装では、ＦＤフレーム制御フィールド１５１０は、特定のＦＤフレームインスタンスにオプションの内容項目が存在するかどうかを示す１ビットインジケータを含むことができる。１ビットインジケータを使用することは、その２バイトの符号化オーバヘッドを有するＩＥフォーマットと比べてより効率的な符号化方式である。ＦＤフレーム制御フィールド１５１０は、ＦＤフレームボディ１５０４中の内容項目のための必要とされる制御情報の全てを単一の制御フィールドに集め、一方、ＩＥフォーマットは、制御情報を各内容項目に分配する。
【００９７】
ＳＳＩＤ情報は、ＡＰがチャネル上のその存在をアドバタイズすることを可能にするために、およびＳＴＡがアソシエーションを開始できるようにするために、ＦＤフレームにおいて必要とされる。ＳＳＩＤ情報は、ＦＤフレームにあることを要求される唯一の情報であり、ＦＤフレームに含まれるいかなる追加情報もオプションであることに留意されたい。現在、（０から３２バイト長である）完全なＳＳＩＤは、アソシエーションを開始するために必要とされる。初期リンク設定中、ＳＳＩＤ情報は、ＳＳＩＤ  ＩＥに符号化され、ビーコンおよびプローブ応答フレームでＳＴＡに提供される。
【００９８】
ＳＳＩＤの最大サイズは３２バイトであるが、実際にはＳＳＩＤは、通常より小さいサイズ、例えば一般的には６から８バイトを有する。本明細書に開示する他の実施形態と結合できる特定の実施形態によれば、可変長ＳＳＩＤ情報項目が、ＦＤフレームにおいてサポートされることが可能である。この特定の実施形態が、ＦＤフレームに使用されるビット数の削減を可能にし、したがって、利用できる帯域幅リソースのより効率的な使用を可能にする。分かれた制御サブフィールドが、ＦＤフレーム制御フィールドに含まれて、ＳＳＩＤ  ＩＥフォーマットを使用する代わりに、ＦＤフレームでＳＳＩＤの実際のサイズをシグナリングすることが可能である。ＦＤフレームのサイズを最小にするために、ＦＤフレーム中のＳＳＩＤ情報項目は、簡約されたフォーマット、例えば圧縮、一部切捨て（truncated）などのフォーマットで送信されることが可能である。
【００９９】
図１６Ａ〜図１６Ｂは、ＦＤフレームのためのＳＳＩＤ情報項目設計の２つの例を示す。図１６Ａは、ＦＤフレームヘッダ１６０２、ＦＤフレームボディ１６０４、およびＦＣＳフィールド１６０６を含んだ、ＦＤフレーム１６００を示す。ＦＤフレームヘッダ１６０２は、使用されるフレームフォーマットによって決まる、ＭＡＣ管理フレームヘッダと、他のフレーミングフィールドとを含むことができる。ＦＤフレームボディ１６０４は、ＦＤフレーム制御フィールド１６１０と、ＳＳＩＤフィールド１６１２と、ＦＤフレームのための他の情報項目１６１４とを含む。他の情報項目１６１４はオプションであり、いくつかの実施形態では、ＳＳＩＤフィールド１６１２のみが、ＦＤフレームボディ１６０４に含まれる場合があることに留意されたい。
【０１００】
ＦＤフレーム制御フィールド１６１０は、ＳＳＩＤ長さフィールド１６２０と、他の制御サブフィールド１６２２とを含む。ＳＳＩＤ長さフィールド１６２０は、ＳＳＩＤフィールド１６１２の実際のサイズをバイトで示すために使用される。この実施形態では、ＳＳＩＤは、典型的なサイズ範囲、すなわち０から３２バイトを保有する。
【０１０１】
図１６Ｂは、ＦＤフレームヘッダ１６５２、ＦＤフレームボディ１６５４およびＦＣＳフィールド１６５６を含んだ、ＦＤフレーム１６５０を示す。ＦＤフレームヘッダ１６５２は、使用されるフレームフォーマットによって決まる、ＭＡＣ管理フレームヘッダと、他のフレーミングフィールドとを含むことができる。ＦＤフレームボディ１６５４は、ＦＤフレーム制御フィールド１６６０と、ＳＳＩＤフィールド１６６２と、ＦＤフレームのための他の情報項目１６６４とを含む。他の情報項目１６６４はオプションであり、いくつかの実施形態では、ＳＳＩＤフィールド１６６２のみが、ＦＤフレームボディ１６５４に含まれる場合があることに留意されたい。
【０１０２】
ＦＤフレーム制御フィールド１６６０は、ＳＳＩＤインジケータサブフィールド１６７０と、ＳＳＩＤ長さサブフィールド１６７２と、他の制御サブフィールド１６７４とを含む。ＳＳＩＤインジケータサブフィールド１６７０はＳＳＩＤフィールド１６６２が完全なＳＳＩＤ、または簡約されたＳＳＩＤを含んでいるかどうかを示すために使用される。一実施形態では、ＳＳＩＤインジケータサブフィールド１６７０は、１ビットインジケータとして実行されることが可能であるが、他のタイプのインジケータが使用されてもよい。ＳＳＩＤ長さサブフィールド１６７２は、ＳＳＩＤフィールド１６６２の長さをバイトで示すために使用される。この実施形態では、ＳＳＩＤは、一部を切り捨てられた範囲で、例えば０から８バイトまでで提示されている。
【０１０３】
ＳＴＡがアソシエーションを開始するために、完全なＳＳＩＤが必要とされるので、（例えば、圧縮されたＳＳＩＤまたは一部を切り捨てられたＳＳＩＤを含むことができる）簡約されたいかなるＳＳＩＤも、もとのその完全なＳＳＩＤに確定的にマップされる必要がある。送信機側でＳＳＩＤを簡約するまたは圧縮するためのいくつかのオプションがあり、受信機側でＳＳＩＤをマップするまたは展開するためのいくつかのオプションがある。選択される特定のオプションは、ＦＤフレーム１６５０の内容に影響を与えない。
【０１０４】
本明細書に開示される他の実施形態と、特に図１６に関連して開示される特定の実施形態と結合できる特定の実施形態によれば、ＦＤフレーム中の能力情報項目は、次の特徴を含む。それは、初期リンク設定におけるＡＰ／ネットワーク探索中にＳＴＡがＡＰ／ネットワークの選択を解除する（de-select）のに必要なＡＰ／ネットワーク能力情報の最小セットを含む。既存の２バイト能力フィールドは、開始点としてこの状況で使用されるように修正されることが可能であり、ＦＤフレーム使用に不必要なサブフィールドを除去する。例えば、サポートされる最低レート、ＰＨＹタイプ、（１つまたは複数の）ＰＨＹモード、ＩＰｖ４／ＩＰｖ６サポートなど、ＦＤフレーム関連情報項目が追加される。ＦＤフレーム制御フィールド中の１ビットインジケータが使用されて、ＦＤフレームにおける能力情報項目の存在を示すことができる。
【０１０５】
図１７は、３バイト長ＦＤ能力情報項目を含むＦＤフレーム１７００の例を示す。ＦＤフレーム１７００は、ＦＤフレームヘッダ１７０２と、ＦＤフレームボディ１７０４と、ＦＣＳフィールド１７０６とを含む。ＦＤフレームボディ１７０４は、ＦＤフレーム制御フィールド１７１０と、ＳＳＩＤフィールド１７１２と、ＦＤ能力フィールド１７１４と、他の情報項目１７１６とを含む。他の情報項目１７１６はオプションであり、いくつかの実施形態では、他の情報項目１７１６は、ＦＤフレームボディ１７０４から省略される場合があることに留意されたい。
【０１０６】
特定の実施形態によれば、ＦＤフレーム制御フィールド１７１０は、ＳＳＩＤ長さサブフィールド１７２０と、ＦＤ能力フィールド１７１４がＦＤフレーム１７００に存在するかどうかを示す能力プレゼンスインジケータフィールド１７２２と、他の制御サブフィールド１７２４とを含む。
【０１０７】
特定の実施形態によれば、ＦＤ能力フィールドは、ＥＳＳサブフィールド１７３０と、ＩＢＳＳサブフィールド１７３２と、無競合（ＣＦ）ポーリング可能サブフィールド１７３４と、ＣＦ−Ｐｏｌｌ要求サブフィールド１７３６と、プライバシーサブフィールド１７３８と、短いプリアンブルサブフィールド１７４０と、インターネットプロトコル（ＩＰ）ｖ４サポートサブフィールド１７４２と、ＩＰｖ６サポートサブフィールド１７４４と、スペクトル管理サブフィールド１７４６と、ＱｏＳサブフィールド１７４８と、短いスロットタイムサブフィールド１７５０と、第１の予約済みサブフィールド１７５２と、無線管理サブフィールド１７５４と、第２の予約済みサブフィールド１７５６と、遅延ブロックＡＣＫサブフィールド１７５８と、即時ＡＣＫサブフィールド１７６０と、ＰＨＹタイプサブフィールド１７６２と、サポートされる最低レートサブフィールド１７６４とを含む。言い換えれば、能力フィールドは、ＡＰのための能力情報を含む。
【０１０８】
上述の特徴に基づいて、ＦＤ能力フィールド１７１４の代替的設計が、生成されることが可能である。例えば、サポートされる最低レートサブフィールド１７１６は、この情報は最小必須レートとしてＰＨＹタイプサブフィールド１７６２から推論されることが可能であると仮定して、削除されることが可能である。さらに、サポートされる最低レートサブフィールド１７６４は、予め定義された単位で、例えば０．５Ｍｂｐｓ、１Ｍｂｐｓなどの刻みで、数値として符号化されることが可能である。
【０１０９】
ＱｏＳサブフィールド１７４８は、ＡＰ／ネットワーク初期選択解除のための十分な情報を提供することができるので、ＣＦポーリング可能サブフィールド１７３４およびＣＦ−Ｐｏｌｌ要求サブフィールド１７３６は、ＦＤ能力フィールド１７１４では必要とされないことがある。
【０１１０】
ＡＣＫ関連能力、例えば遅延ブロックＡＣＫサブフィールド１７５８および即時ＡＣＫサブフィールド１７６０は、ＦＤフレーム１７００など、第１のＡＰからＳＴＡへのメッセージの代わりにリンク設定中に後のメッセージにおいて信号で伝えられることが可能である。これは、遅延ブロックＡＣＫおよび即時ＡＣＫのための２ＦＤ能力ビットが「予約される」または他の能力インジケーションのために使用されることを可能にする。
【０１１１】
さらに、ＦＤ能力フィールド１７１４（例えば、第１の予約済みサブフィールド１７５２、および第２の予約済みサブフィールド１７５６）に現在予約されているビットは、新しいシステム能力、例えば新しいレイヤ３プロトコル能力を示すために将来使用される可能性がある。
【０１１２】
本明細書に開示される他の実施形態と結合できる特定の実施形態により、また図７〜図１２に関連する詳細な説明を参照して、ＦＤセキュリティ情報項目は、固定長または可変長を有することがある。固定長ＦＤセキュリティ情報項目は、４バイト長とすることができるが、任意の固定長が使用されてもよい。最小セットの必要なセキュリティ情報が含まれて、ＳＴＡが初期リンク設定におけるＡＰ／ネットワーク探索中にＡＰ／ネットワークの選択を解除することを可能にする。既存のＲＳＮＥは、そのサイズをより小さくするように修正されることが可能である。例えば、ＲＳＮ能力サブフィールドは、その実際の使用およびＦＤフレーム固有の検討事項を反映するように再設計されることが可能である。ペアスイートおよびＡＫＭスイートの数は、例えばそれぞれ２に制限されることがある。暗号化スイートおよびＡＫＭスイートを識別する４ビット符号が使用されることがある。ＰＭＫＩＤカウントおよびＰＭＫＩＤリストフィールドは、取り除かれることがある。
【０１１３】
ＦＤセキュリティ情報項目は、例えばＦＩＬＳ高速ＥＡＰによる認証、ＦＩＬＳ  ＥＡＰ再認証プロトコル（ＲＰ）による認証、ＦＩＬＳ非ＥＡＰ高速認証、および第三者なしのＦＩＬＳ高速認証など、ＦＩＬＳ認証方法サポートのために、セキュリティ能力インジケータもまた含むことができる。他のタイプのインジケータが使用されることも可能であるが、ＦＤフレーム制御フィールド中の１ビットインジケータが使用されて、ＦＤフレーム中のセキュリティ情報項目の存在を示すことが可能である。
【０１１４】
図１８は、４バイトＦＤセキュリティ情報項目を含むＦＤフレーム１８００の例を示す。ＦＤフレーム１８００は、ＦＤフレームヘッダ１８０２と、ＦＤフレームボディ１８０４と、ＦＣＳフィールド１８０６とを含む。ＦＤフレームボディ１８０４は、ＦＤフレーム制御フィールド１８１０と、ＳＳＩＤフィールド１８１２と、ＦＤ能力フィールド１８１４と、ＡＰによって提供されるアクセスサービスを示すアクセスネットワークオプション（ＡＮＯ）フィールド１８１６と、ＦＤセキュリティフィールド１８１８と、他の情報項目１８２０とを含む。他の情報項目１８２０はオプションであり、いくつかの実施形態では、他の情報項目１８２０は、ＦＤフレームボディ１８０４から省略される場合があることに留意されたい。上記に示すように、ＡＮＯフィールドは、アクセスネットワークタイプフィールド、アクセスフィールドに要求される追加ステップ、緊急サービス到達可能フィールド（emergency services reachable field）または非認証緊急サービスアクセス可能フィールド（unauthenticated emergency services accessible field）のうちの、いずれか１つまたは複数を含むことが好ましい。
【０１１５】
本明細書に開示される他の実施形態と結合できる特定の実施形態によれば、ＦＤフレーム制御フィールド１８１０は、ＳＳＩＤ長さサブフィールド１８３０と、能力プレゼンスインジケータフィールド１８３２と、対応するＡＮＯフィールドがＦＤフレームに存在するかどうかを示すＡＮＯプレゼンスインジケータサブフィールド１８３４と、対応するセキュリティフィールドがＦＤフレーム内容に存在するかどうかを示すセキュリティプレゼンスインジケータサブフィールド１８３６と、他の制御サブフィールド１８３８を含む。
【０１１６】
ＦＤセキュリティフィールド１８１８は、グループデータ暗号化スイートセレクタサブフィールド１８４０と、グループ管理暗号化スイートセレクタサブフィールド１８４２と、ペア暗号化スイートセレクタ１サブフィールド１８４４と、ペア暗号化スイートセレクタ２サブフィールド１８４６と、ＡＫＭスイートセレクタ１サブフィールド１８４８と、ＡＫＭスイートセレクタ２サブフィールド１８５０と、ＦＤ  ＲＳＮ能力サブフィールド１８５２とを含む。ＦＤ  ＲＳＮ能力サブフィールド１８５２は、事前認証インジケータサブフィールド１８６０と、管理フレーム保護要求（management frame protection required）インジケータサブフィールド１８６２と、ＦＩＬＳ高速ＥＡＰインジケータサブフィールド１８６４と、ＦＩＬＳ  ＥＡＰーＲＰインジケータサブフィールド１８６６と、ＦＩＬＳ非ＥＡＰインジケータサブフィールド１８６８と、第三者なしのＦＩＬＳ認証インジケータサブフィールド１８７０と、管理フレーム保護対応インジケータサブフィールド１８７２と、完全転送秘密（perfect forward secrecy）インジケータサブフィールド１８７４とを含む。一実施形態では、インジケータサブフィールドのそれぞれは、１ビットインジケータとすることができるが、他のタイプのインジケータが使用されてもよい。
【０１１７】
上述の特徴に基づいて、ＦＤセキュリティフィールド１８１８の代替的設計が、生成されることが可能である。例えば、１つのＡＫＭスイートセレクタが、ＡＰ／ネットワーク初期選択解除のために十分な情報を提供すると仮定する場合、ＦＤセキュリティフィールド１８１８は、２つの代わりに、１つのＡＫＭスイートセレクタを含むことができる。
【０１１８】
可変長ＦＤセキュリティ情報項目は、固定長変形物と同様の情報を含むが、その可変長に反映する次の変化を有する。可変長セキュリティフィールド（ＲＳＮＥ）が使用されることが可能であり、その長さは、例えば０から６オクテットとすることができる。ＲＳＮＥフィールド内のオプションのＲＳＮ能力（ＲＳＮＣ）サブフィールドもまた、可変長を有し、例えば０から３オクテットとすることができる。ペアスイートおよびＡＫＭスイートの数は、例えばそれぞれ最大２に制限されることが可能である。
【０１１９】
図１９は、可変長ＦＤセキュリティ情報項目を含むＦＤフレーム１９００の例を示す。ＦＤフレーム１９００は、ＦＤフレームヘッダ１９０２と、ＦＤフレームボディ１９０４と、ＦＣＳフィールド１９０６とを含む。ＦＤフレームボディ１９０４は、ＦＤフレーム制御フィールド１９１０と、ＳＳＩＤフィールド１９１２と、ＦＤ能力フィールド１９１４と、ＡＮＯフィールド１９１６と、ＦＤセキュリティフィールド１９１８と、他の情報項目１９２０とを含む。他の情報項目１９２０はオプションであり、いくつかの実施形態では、他の情報項目１９２０は、ＦＤフレームボディ１９０４から省略される場合があることに留意されたい。
【０１２０】
ＦＤフレーム制御フィールド１９１０は、ＳＳＩＤ長さサブフィールド１９３０と、能力プレゼンスインジケータサブフィールド１９３２と、ＡＮＯプレゼンスインジケータサブフィールド１９３４と、セキュリティプレゼンスインジケータサブフィールド１９３６と、他の制御サブフィールド１９３８とを含む。
【０１２１】
ＦＤセキュリティフィールド１９１８は、ＲＳＮＥ長さサブフィールド１９４０と、ＲＳＮＣ長さサブフィールド１９４２と、グループデータ暗号化スイートセレクタサブフィールド１９４４と、ペア暗号化スイートセレクタ１サブフィールド１９４６と、ＡＫＭスイートセレクタ１サブフィールド１９４８とを含む。
【０１２２】
ＦＤセキュリティフィールド１９１８はオプションで、可変長ＦＤ  ＲＳＮ能力サブフィールド１９５０と、ペア暗号化スイートセレクタ２サブフィールド１９５２と、ＡＫＭスイートセレクタ２サブフィールド１９５４と、グループ管理暗号化スイートセレクタサブフィールド１９５６とを含む。ＦＤ  ＲＳＮ能力サブフィールド１９５０は、事前認証サブフィールド１９６０と、管理フレーム保護要求サブフィールド１９６２と、管理フレーム保護対応サブフィールド１９６４と、ＦＩＬＳ高速ＥＡＰサブフィールド１９６６と、ＦＩＬＳ  ＥＡＰーＲＰサブフィールド１９６８と、ＦＩＬＳ非ＥＡＰサブフィールド１９７０と、第三者なしのＦＩＬＳ認証サブフィールド１９７２と、完全転送秘密サブフィールド１９７４と、予約済みサブフィールド１９７６とを含む。
【０１２３】
図１９では、サブフィールド１９５０〜１９５６および１９７６が、破線の輪郭線で示され、これらがＦＤフレーム１９００中のオプションの項目であることを示す。ＦＤ  ＲＳＮ能力サブフィールド１９５０がＦＤフレーム１９００に含まれる限り、サブフィールド１９６０〜１９７４は必須であるが、予約済みサブフィールド１９７６は依然としてオプションである。
【０１２４】
ＴＢＴＴ情報は、一般的に、ＡＰとＳＴＡとの間で同期される共通クロックに基づいてタイムスタンプ値として提供される。しかし、タイムスタンプ情報は、ＦＤフレームに存在すると考えられない。さらに、ＦＤフレームは、初期リンク設定でＳＴＡによって受信される最初のフレームとなるよう意図される。従って、タイムスタンプに基づくパラメータは、ＦＤフレームにおいて次のＴＢＴＴ情報を示すのに適切な方法ではない。
【０１２５】
ＡＰとＳＴＡとの間の同期を求めることなく、次のＴＢＴＴ情報をシグナリングするには、ＦＤフレーム伝送時間と次のビーコンフレーム伝送時間との間の時間オフセットの１バイトオフセット値が、ＦＤフレーム中のＦＤ  ＡＰの次のＴＢＴＴ情報項目として使用されることが可能である。オフセット値は、時間単位（ＴＵ）の時間、例えば１０２４μｓである。１ビットインジケータは、ＦＤフレーム制御フィールドで使用されて、ＦＤフレームにおけるＡＰの次のＴＢＴＴ情報フィールドの存在を示すことができる。
【０１２６】
図２０は、ＡＰの次のＴＢＴＴ情報項目を含むＦＤフレーム２０００の例を示す。本明細書に開示される他の実施形態と結合できる、この特定の実施形態によれば、ＦＤフレーム２０００は、ＦＤフレームヘッダ２００２と、ＦＤフレームボディ２００４と、ＦＣＳフィールド２００６とを含む。ＦＤフレームボディ２００４は、ＦＤフレーム制御フィールド２０１０と、ＳＳＩＤフィールド２０１２と、ＦＤ能力フィールド２０１４と、ＡＮＯフィールド２０１６と、ＦＤセキュリティフィールド２０１８と、ＡＰ構成パラメータのセットが変わった回数を示すＡＰ構成変更カウント（ＣＣＣ）フィールド２０２０と、ＡＰからの次の完全なビーコンフレームの伝送時間を示すＦＤ  ＡＰ次のＴＢＴＴ（ＡＮＴ）フィールド２０２２と、他の情報項目２０２４とを含む。他の情報項目２０２４はオプションであり、いくつかの実施形態では、他の情報項目２０２４は、ＦＤフレームボディ２００４から省略される場合があることに留意されたい。
【０１２７】
特定の実施形態によれば、ＦＤフレーム制御フィールド２０１０は、ＳＳＩＤ長さサブフィールド２０３０と、能力プレゼンスインジケータサブフィールド２０３２と、ＡＮＯプレゼンスインジケータサブフィールド２０３４と、セキュリティプレゼンスインジケータサブフィールド２０３６と、対応するＡＰ構成変更カウントフィールドがＦＤフレーム内容に存在するかどうかを示すＡＰ  ＣＣＣプレゼンスインジケータサブフィールド２０３８と、対応するＡＰネクストターゲットビーコン伝送時間フィールドがＦＤフレーム内容に存在するかどうかを示すＡＮＴプレゼンスインジケータサブフィールド２０４０と、他の制御サブフィールド２０４２とを含む。
【０１２８】
ＷＬＡＮリンクを設定しようと試みるＳＴＡが、チャネルをスキャンし、伝送中のＡＰの次のＴＢＴＴ情報を含んだＦＤフレームを受信する。ＳＴＡがＡＰからのさらなる情報を引き続き必要とする場合、それは、受信した次のＴＢＴＴ情報を使用して、次に何をすべきかに関する知的決定（intelligent decision）を行うことができる。例えば、次のＴＢＴＴ情報がＳＴＡに、次のＴＢＴＴまでに比較的長い間隔がある（例えば、５０ｍｓを超える）ことを伝える場合、ＳＴＡは、省電力状態に入るか、または別のチャネルをスキャンすることに切り替えて、次のＴＢＴＴまでにこのチャネルに戻る。次のＴＢＴＴ情報が、短い時間間隔（例えば、２０ｍｓ未満）でビーコンフレーム伝送が行われることになると示す場合、ＳＴＡは、このチャネルを監視し続けることを決定して、次のビーコンフレームを受信する、または省電力状態に入り、次のビーコンフレームに間に合うようにこのチャネルに戻る。さらに、ＦＤフレームで提供される次のＴＢＴＴ情報は、プローブ要求伝送の数を効果的に削減することができる。
【０１２９】
ＦＤ隣接ＡＰ情報項目は、初期リンク設定中に複数のＡＰ／チャネルの高速スキャニングを容易にすることを意図される。ＦＤ隣接ＡＰ情報項目に対して、２つの基本的な設計課題、すなわち、隣接ＡＰをどのように識別するか、および、隣接ＡＰに関するどの情報がＦＤフレームにおいて必要とされるかという課題がある。ＦＤフレーム中の他の情報と同様に、ＦＤ隣接ＡＰ情報項目のサイズを小さく維持することが望ましい。
【０１３０】
各隣接ＡＰに対する隣接ＡＰの次のＴＢＴＴは、ＦＤフレームにおいて必要とされる最小限の情報である。ＳＴＡとＡＰとの間の非同期状態により、ＦＤフレームが受信されるとき、伝送中のＡＰのタイムスタンプまたは隣接ＡＰのタイムスタンプからの値が、隣接ＡＰの次のＴＢＴＴを示すために使用されることは可能ではない。したがって、ＦＤフレーム伝送時間と隣接ＡＰのＴＢＴＴとのオフセット時間値が使用されることがある。隣接ＡＰの情報は、隣接ＡＰとの、または第三者、例えば非ＡＰ  ＳＴＡもしくは他のネットワーク要素との通信を通して、伝送中のＡＰによって収集されることが可能である。伝送中のＡＰが、隣接ＡＰのＴＢＴＴに関する適切な情報を有し、ＦＤフレーム伝送に情報を含めることを決定するとき、それは、そのシステムクロック時間値、推定されるＦＤフレーム伝送時間、および事前に収集された隣接ＡＰのＴＢＴＴ情報に基づいて、ＦＤフレーム伝送時間と隣接ＡＰの次のＴＢＴＴとのオフセット値を計算する。言い換えれば、上に開示される実施形態と結合できる特定の実施形態により、また特に図１５〜図１９に関連して、ＡＰネクストターゲットビーコン伝送時間は、ＦＤフレーム伝送時間に対するオフセット値として表される。
【０１３１】
２つのパラメータ、動作クラスおよびチャネル数が、隣接ＡＰを識別するために使用されることが可能である。動作クラスは、隣接ＡＰの動作クラスを指定する１バイト列挙値とすることができる。チャネル数は、隣接ＡＰの動作クラス内の動作チャネルを指定する１バイト列挙値とすることができる。
【０１３２】
ＦＤフレームのサイズを小さく維持しようと試みながら、十分な量の隣接情報を提供するために、隣接ＡＰ情報項目に含まれる隣接数は、例えば最大２つの隣接ＡＰに限定されることが可能である。ＦＤ隣接ＡＰ情報項目の存在および含まれる隣接ＡＰの数を示すために、ＦＤフレーム制御フィールド中の制御サブフィールドが、使用されることが可能であり、そのサイズは、ＦＤ隣接ＡＰ情報項目における隣接ＡＰの最大許容数によって決まる。例えば、隣接ＡＰの最大許容数がｋである場合、ｎが２ｎ≧（ｋ＋１）を満たす最小の整数であるとすると、ｎビット制御サブフィールドが必要とされる。
【０１３３】
図２１は、ＦＤ隣接ＡＰ情報項目を含むＦＤフレーム２１００の例を示す。本明細書に開示される他の実施形態と結合できる特定の実施形態によれば、ＦＤフレーム２１００は、ＦＤフレームヘッダ２１０２と、ＦＤフレームボディ２１０４と、ＦＣＳフィールド２１０６とを含む。ＦＤフレームボディ２１０４は、ＦＤフレーム制御フィールド２１１０と、ＳＳＩＤフィールド２１１２と、ＦＤ能力フィールド２１１４と、ＡＮＯフィールド２１１６と、ＦＤセキュリティフィールド２１１８と、ＣＣＣフィールド２１２０と、ＦＤ  ＡＮＴフィールド２１２２と、隣接ＡＰ情報フィールド２１２４と、他の情報項目２１２６とを含む。他の情報項目２１２６はオプションであり、いくつかの実施形態では、他の情報項目２１２６は、ＦＤフレームボディ２１０４から省略される場合があることに留意されたい。
【０１３４】
特定の実施形態によれば、ＦＤフレーム制御フィールド２１１０は、ＳＳＩＤ長さサブフィールド２１３０と、能力プレゼンスインジケータサブフィールド２１３２と、ＡＮＯプレゼンスインジケータサブフィールド２１３４と、セキュリティプレゼンスインジケータサブフィールド２１３６と、ＣＣＣプレゼンスインジケータサブフィールド２１３８と、ＡＮＴプレゼンスインジケータサブフィールド２１４０と、対応する隣接ＡＰ情報フィールドがＦＤフレーム内容に存在するかどうかを示す、隣接ＡＰ情報プレゼンスインジケータサブフィールド２１４２と、他の制御サブフィールド２１４４とを含む。隣接ＡＰ情報プレゼンスインジケータサブフィールド２１４２は、隣接ＡＰ情報が存在するかどうか、および隣接ＡＰ情報フィールド２１２４に含まれる隣接ＡＰの数を示すように使用される。
【０１３５】
ある実装では、隣接ＡＰ情報フィールド２１２４は、最大２の隣接ＡＰ２１５０ａおよび２１５０ｂのための隣接ＡＰ情報を含む。隣接ＡＰ情報２１５０は、隣接ＡＰ情報フィールドの各隣接ＡＰのための、動作クラスサブフィールド２１５２と、チャネル数サブフィールド２１５４と、次のＴＢＴＴオフセットサブフィールド２１５６とを含む。隣接ＡＰの動作クラスおよびチャネル数は、伝送中のＡＰの動作チャネルと同じであることがあり、その場合隣接ＡＰは、同じチャネル上で動作している。同様に、複数の隣接ＡＰが含まれるとき、それらのいくつかは、動作クラスおよびチャネル数に対して同じパラメータ値を有するが、異なる次のＴＢＴＴオフセット値を持つことがある。
【０１３６】
図２０に関連して開示される実施形態と有利に結合できる特定の実施形態によれば、各ネクストターゲットビーコン伝送時間フィールドは、対応する隣接ＡＰからの次の完全なビーコンフレームの伝送時間を示す。上記の実施形態と有利に結合できる別の特定の実施形態によれば、ネクストターゲットビーコン伝送時間は、ＦＤフレーム伝送時間に対するオフセット値として表されることがある。さらに、図２０を参照すると、特定の実施形態によれば、オフセット値は、時間単位の数として表される。
【０１３７】
含まれる隣接ＡＰは、全ての隣接ＡＰの中から、互いに対する、および現在のＡＰの次のＴＢＴＴオフセットに対する、それらの次のＴＢＴＴオフセットに基づいて、選択されることができる。例えば、最大２つの隣接ＡＰのＴＢＴＴ情報、プラス伝送中のＡＰの次のＴＢＴＴ情報とともに、最大３つのＡＰのＴＢＴＴ情報がＦＤフレームに含まれる。Ｔは、典型的なチャネルスキャニング時間に、スキャニングプロセス中にチャネルを切り替えるために使用される時間を加えたものを示すと仮定する。２つの隣接ＡＰ、ＡＰ−ａおよびＡＰ−ｂは、ＡＰ−ａの次のＴＢＴＴ（ＴＢＴＴ−ａ）およびＡＰ−ｂの次のＴＢＴＴ（ＴＢＴＴ−ｂ）が互いからおよび送信中のＡＰの次のＴＢＴＴから予め定義された間隔、例えばＴを有して離れるように、隣接ＡＰの中から選択されることが可能である。ＦＤフレーム伝送時間と選択された隣接ＡＰの次のＴＢＴＴとのオフセットの合計は、任意の他の選択された隣接ＡＰ以下である。
【０１３８】
他の代替的隣接ＡＰ選択方式が使用されることもできる。例えば、ＦＤフレームを伝送するＡＰは、隣接ＡＰのトラフィック負荷、信号強度、セキュリティ機能、能力などに基づいて、そのＦＤ隣接ＡＰ情報項目に含まれる隣接ＡＰを選択することができる。
【０１３９】
上述の情報項目に加えて、他の情報項目が、必須フィールドまたはオプションフィールドとして、ＦＤフレームに含まれてさらなる情報をＳＴＡに提供し、ＳＴＡが初期リンク設定を改善することを可能にすることができる。同様に、対応する制御サブフィールドが、ＦＤフレーム制御フィールドに含まれて、情報項目の復号化および解釈、すなわちそれらがオプション情報項目であるかどうか、およびそれらが可変サイズであるかどうかをサポートすることができる。
【０１４０】
図２２は、ＦＤフレーム２２００の例を示す。ＦＤフレーム２２００は、ＦＤフレームヘッダ２２０２と、ＦＤフレームボディ２２０４と、ＦＣＳフィールド２２０６とを含む。ＦＤフレームボディ２２０４は、ＦＤフレーム制御フィールド２２１０と、ＳＳＩＤフィールド２２１２と、ＦＤ能力フィールド２２１４と、ＡＮＯフィールド２２１６と、ＦＤセキュリティフィールド２２１８と、ＣＣＣフィールド２２２０と、ＦＤ  ＡＮＴフィールド２２２２と、隣接ＡＰ情報フィールド２２２４とを含む。
【０１４１】
ＦＤフレーム制御フィールド２２１０は、ＳＳＩＤ長さサブフィールド２２３０と、能力プレゼンスインジケータサブフィールド２２３２と、ＡＮＯプレゼンスインジケータサブフィールド２２３４と、セキュリティプレゼンスインジケータサブフィールド２２３６と、ＣＣＣプレゼンスインジケータサブフィールド２２３８と、ＡＮＴプレゼンスインジケータサブフィールド２２４０と、隣接ＡＰ情報プレゼンスインジケータサブフィールド２２４２と、予約済みサブフィールド２２４４とを含む。
【０１４２】
ＡＮＯフィールド２２１６は、アクセスネットワークタイプを識別する１バイトフィールド、ネットワークがインターネット接続を提供するかどうかのインジケーション、ネットワークがアクセスのための追加ステップを要求するかどうかのインジケーション、緊急サービスがＡＰを通して到達可能であるかどうかのインジケーション、および非認証緊急サービスがＡＰを通して到達可能であるかどうかのインジケーションとすることができる。ＡＰ  ＣＣＣフィールド２２２０は、ＡＰ構成パラメータのセットが変わる度にインクリメントする１バイトの符号なし整数とすることができる。
【０１４３】
図２２のＦＤフレームボディ２２０４設計に基づくと、および８バイトの典型的なＳＳＩＤフィールド２２１２を仮定すると、オプションの情報項目がなければ、すなわちＳＳＩＤフィールド２２１２のみであれば、ＦＤフレームボディ２２０４サイズは１０バイトである。全てのオプション情報項目（２２１４〜２２２４）が含まれる場合、ＦＤフレームボディ２２０４サイズは２６バイトであり、これは典型的なＳＳＩＤの最大ＦＤフレームボディサイズでもある。
【０１４４】
システムトラフィック測定に基づくと、ビーコンフレームのおよそ７５％が、１５８バイトの長さである。ＭＡＣフレーミングオーバヘッドは２８バイトである（測定フレームＭＡＣヘッダおよびＦＣＳを含む）ので、典型的なビーコンフレームボディサイズは、約１３０バイトである。従って、オプション情報項目が含まれない場合、図２２に示すＦＤフレームボディは、典型的なビーコンフレームボディサイズ（１３０バイト）のおよそ７．７％である。全てのオプション情報項目が含まれる場合、ＦＤフレームボディは、典型的なビーコンフレームボディサイズ（１３０バイト）の２０％である。
【０１４５】
ＦＤフレームに追加の情報項目が必要とされるとき、ＦＤフレームボディ設計は、拡張可能である。拡張可能ＦＤフレームボディ設計をサポートする２つの機構がある。１つのオプションでは、ＦＤフレーム制御フィールド中の利用可能ビットが使用され、これはあらかじめ予約されたビット、またはＦＤフレーム制御フィールドのサイズを拡張することに由来する新しいビットである。第２のオプションでは、ＩＥが、３つの構成要素、すなわち要素ＩＤ、長さ、およびボディからなる各情報項目に使用される。
【０１４６】
図２３は、拡張された情報項目を有するＦＤフレーム２３００の例を示す。ＦＤフレーム２３００は、ＦＤフレームヘッダ２３０２と、ＦＤフレームボディ２３０４と、ＦＣＳフィールド２３０６とを含む。ＦＤフレームボディ２３０４は、ＦＤフレーム制御フィールド２３１０と、ＳＳＩＤフィールド２３１２と、能力フィールド２３１４と、ＡＮＯフィールド２３１６と、セキュリティフィールド２３１８と、ＣＣＣフィールド２３２０と、ＡＮＴフィールド２３２２と、隣接ＡＰ情報フィールド２３２４と、追加オプションフィールド２３２６と、オプションＩＥ２３２８とを含む。
【０１４７】
ＦＤフレームボディ拡張性を有して、ＡＰは、ＦＤフレームに追加情報項目を柔軟に含んで、ＦＩＬＳを容易にするおよび／またはプローブ要求／応答フレーム伝送の数を削減することができる。追加のオプション情報項目の１つの例は、例えば完全なタイムスタンプ値または何らかの形式の簡約されたタイムスタンプ情報など、時間同期情報であることがある。別の例は、既存のＢＳＳ負荷関連ＩＥを使用した、または高度なＢＳＳ負荷情報選択および符号化を有する新しいオプションの情報フィールドもしくは要素を導入した、ＢＳＳ負荷情報である。
【０１４８】
ＦＤフレームは、パブリックアクションフレームまたは拡張フレームとして設計されることが可能である。パブリックアクションフレームは、ＭＡＣ管理フレームである。「パブリックアクションフィールド」には、現在予約されているいくつかの未使用の符号がある。新しいパブリックアクションフレームは、予約済み符号の１つを使用することによって定義されることが可能である。図２４は、新しいパブリックアクションフレームとしてＦＤフレーム２４００を符号化する例を示し、パブリックアクションフィールド＝１６が、ＦＤフレーム２４００に割り当てられている。
【０１４９】
ＦＤフレーム２４００は、ＭＡＣヘッダ２４０２と、フレームボディ２４０４と、ＦＣＳフィールド２４０６とを含む。ＭＡＣヘッダ２４０２は、フレーム制御フィールド２４１０と、継続時間／ＩＤ（ＤＵ）フィールド２４１２と、宛先アドレスフィールド２４１４と、発信元アドレスフィールド２４１６と、ＢＳＳＩＤフィールド２４１８と、シーケンス制御（ＳＣ）フィールド２４２０と、ＨＴ制御（ＨＴＣ）フィールド２４２２とを含む。フレームボディ２４０４は、アクションフィールド２４３０と、１つまたは複数のオプションのベンダ固有ＩＥ２４３２と、オプションの管理メッセージ完全性符号（ＭＩＣ）要素２４３４とを含む。
【０１５０】
アクションフィールドは、カテゴリフィールド２４４０と、パブリックアクションフィールド２４４２と、ＦＤフレーム制御フィールド２４４４と、ＳＳＩＤフィールド２４４６と、能力フィールド２４４８と、ＡＮＯフィールド２４５０と、セキュリティフィールド２４５２と、ＣＣＣフィールド２４５４と、ＡＮＴフィールド２４５６と、隣接ＡＰ情報フィールド２４５８とを含む。ＦＤフレーム制御フィールド２４４４は、ＳＳＩＤ長さサブフィールド２４６０と、能力プレゼンスインジケータサブフィールド２４６２と、ＡＮＯプレゼンスインジケータサブフィールド２４６４と、セキュリティプレゼンスインジケータサブフィールド２４６６と、ＣＣＣプレゼンスインジケータサブフィールド２４６８と、ＡＮＴプレゼンスインジケータサブフィールド２４７０と、隣接ＡＰ情報プレゼンスインジケータサブフィールド２４７２と、予約済みサブフィールド２４７４とを含む。
【０１５１】
図２４では証明のために、８０２．１１ｇベースのＭＡＣヘッダが使用される。ＨＴ＿ＧＦまたはＨＴ＿ＭＦ  ＰＰＤＵを有する８０２．１１ｎ  ＷＬＡＮシステムでは、４バイトＨＴ制御フィールドもまた、ＭＡＣ管理フレームのＭＡＣヘッダに含まれる。
【０１５２】
拡張フレームは、ＭＡＣヘッダのフレーム制御フィールドにおいてタイプ＝０ｂ１１を使用するＭＡＣフレームタイプである。４ビットサブタイプフィールドとともに、定義されることが可能である最大１６の拡張フレームがある。拡張フレームの１つの利用可能なサブタイプ値、例えば、サブタイプ＝０ｂ００１０が使用されて、新しい拡張フレームとしてＦＤフレームを定義することが可能である。
【０１５３】
複数の代替的な詳細にわたるＭＡＣフレーミング設計が、分かれたフレーム制御（ＦＣ）フィールドおよび特定のＦＤフレーム制御フィールドおよび結合されたＦＣフィールドを含む、ＦＤ拡張フレームに対して可能である。これらの設計間の１つの違いは、フレーム制御情報が整理される方法、詳細には、全般的なフレーム制御情報およびＦＤフレーム固有の制御情報が、分かれている、または結合されているかどうかである。
【０１５４】
図２５は、分かれたＦＣフィールドおよびＦＤフレーム固有フレーム制御フィールド（ＦＤ  ＦＣ）を有するＦＤフレーム２５００設計を示す。ＦＤフレーム２５００は、ＭＡＣヘッダ２５０２と、フレームボディ２５０４と、ＦＣＳフィールド２５０６とを含む。ＭＡＣヘッダ２５０２は、フレーム制御フィールド２５１０と、発信元アドレスフィールド２５１２と、ＨＴＣフィールド２５１４とを含む。発信元アドレスフィールド２５１２は、インフラストラクチャＢＳＳのＡＰ  ＳＴＡのＢＳＳＩＤでもある、ＦＤフレームの伝送中のＳＴＡのＭＡＣアドレスを含む。ある実装では、発信元アドレスフィールド２５１２は、６バイト長である。フレーム制御フィールド２５１０は、プロトコルバージョンサブフィールド２５２０と、タイプサブフィールド２５２２と、サブタイプサブフィールド２５２４と、予約済み部分２５２６と、オーダーサブフィールド２５２８とを含む。オーダーサブフィールド２５２８は、ＨＴＣが存在するかどうかを示すために使用される。
【０１５５】
ＦＤフレームボディ２５０４は、ＦＤフレーム制御フィールド２５３０と、ＳＳＩＤフィールド２５３２と、ＦＤ能力フィールド２５３４と、ＡＮＯフィールド２５３６と、ＦＤセキュリティフィールド２５３８と、ＣＣＣフィールド２５４０と、ＡＮＴフィールド２５４２と、隣接ＡＰ情報フィールド２５４４とを含む。ＦＤフレーム制御フィールド２５３０は、ＳＳＩＤ長さサブフィールド２５５０と、能力プレゼンスインジケータサブフィールド２５５２と、ＡＮＯプレゼンスインジケータサブフィールド２５５４と、セキュリティプレゼンスインジケータサブフィールド２５５６と、ＣＣＣプレゼンスインジケータサブフィールド２５５８と、ＡＮＴプレゼンスインジケータサブフィールド２５６０と、隣接ＡＰ情報プレゼンスインジケータサブフィールド２５６２と、予約済みサブフィールド２５６４とを含む。
【０１５６】
ＭＡＣヘッダ２５０２中のフレーム制御フィールド２５１０の第１のバイトは、ＦＤ拡張フレームの包括的フレーム制御（ＦＣ）フィールドであり、これは、管理フレーム、制御フレーム、およびデータフレームを含む他のＭＡＣフレームの第１のバイトと同じフォーマットである。このフォーマットを使用することは、受信中のＳＴＡがフレーム制御フィールド中の情報、例えばタイプおよびサブタイプを使用して、受信されたフレームを識別するために重要である。それが知られているフレームタイプである場合、受信中のＳＴＡは、フレーム制御情報を使用して、受信されたフレームの残りを復号することができる。それが不明のフレームタイプである場合、受信中のＳＴＡは、ＰＬＣＰヘッダで得られる長さ情報またはアグリゲートＭＰＤＵ（Ａ−ＭＰＤＵ）中のＭＰＤＵデリミタを使用してこのフレームをスキップする。
【０１５７】
フレーム制御フィールド２５１０の第２のバイトもまた汎用であり、４バイトのＨＴＣフィールドが存在するかどうかを示すために使用されるオーダーサブフィールド２５２８を含む。フレーム制御フィールド２５１０の第２のバイト中の他の７ビットは、予約される、または他の目的に使用されることが可能である。元のサブフィールドは、ＦＤフレームに適用されないからである。
【０１５８】
図２６は、包括的フレーム制御情報およびＦＤフレーム固有フレーム制御情報とともに、結合されたフレーム制御フィールドを有するＦＤ拡張フレーム２６００設計を示す。ＦＤフレーム２６００は、ＭＡＣヘッダ２６０２と、フレームボディ２６０４と、ＦＣＳフィールド２６０６とを含む。ＭＡＣヘッダ２６０２は、フレーム制御フィールド２６１０と、発信元アドレスフィールド２６１２と、ＨＴＣフィールド２６１４とを含む。
【０１５９】
フレーム制御フィールド２６１０は、プロトコルバージョンサブフィールド２６２０と、タイプサブフィールド２６２２と、サブタイプサブフィールド２６２４と、ＨＴＣプレゼンスインジケータサブフィールド２６２６と、ＳＳＩＤ長さサブフィールド２６２８と、能力プレゼンスインジケータサブフィールド２６３０と、ＡＮＯプレゼンスインジケータサブフィールド２６３２と、セキュリティプレゼンスインジケータサブフィールド２６３４と、ＣＣＣプレゼンスインジケータサブフィールド２６３６と、ＡＮＴプレゼンスインジケータサブフィールド２６３８と、隣接ＡＰ情報プレゼンスインジケータサブフィールド２６４０と、予約済みサブフィールド２６４２とを含む。フレーム制御フィールド２６１０の第１のバイトは、他の全てのＭＡＣフレームと同じフォーマットを有する。それは、受信中のＳＴＡが受信されるフレームを識別し、それに応じてこれを処理するための情報を含む。
【０１６０】
フレームボディ２６０４は、ＳＳＩＤフィールド２６５０と、ＦＤ能力フィールド２６５２と、ＡＮＯフィールド２６５４と、ＦＤセキュリティフィールド２６５６と、ＣＣＣフィールド２６５８と、ＡＮＴフィールド２６６０と、隣接ＡＰ情報フィールド２６６２とを含む。
【０１６１】
上述のように、ＡＰとアソシエートするかどうかの決定は、受信されるＦＤフレームに基づく。上に開示される実施形態と有利に結合できる特定の実施形態によれば、アソシエーション要求フレームは、受信されるＦＤフレームに基づく、ＡＰとアソシエートするかどうかの決定が肯定である状況に応じてＡＰに伝送される。
【０１６２】
特定の実施形態によれば、図１３と関連する開示を参照して、ＦＤフレーム内容は、ワイヤレスステーションによってアクセスされる無線ネットワークのタイプによって決まる、物理層固有の情報を含む。さらに、物理層固有の情報は、超高スループット能力情報、超高スループット動作情報、または高スループット動作情報のうちのいずれか１つまたは複数を有利に含むことができる。
【０１６３】
特徴および要素が特定の組合せで上述されているが、各特徴または要素は、単独で、または他の特徴および要素とのいかなる組合せでも使用されることが可能なことを当業者は理解するであろう。本発明の概念の理解を高めるために、特に図１５〜図２６を参照して、ＦＤフレームの構造の例が詳細に開示された。図に詳細に開示されるＦＤフレーム要素の様々な組合せは、変更可能であることを理解されよう。例えば、図２２は、ＦＤフレームヘッダと、ＦＤフレームボディと、ＦＣＳフィールドとを含むＦＤフレームを示し、ＦＤフレームボディは、ＦＤフレーム制御フィールドと、ＳＳＩＤフィールドと、ＦＤ能力フィールドと、ＡＮＯフィールドと、ＦＤセキュリティフィールドと、ＣＣＣフィールドと、ＦＤ  ＡＮＴフィールドと、隣接ＡＰ情報フィールドとを含む。しかしながら、大方の場合、ＦＤフレーム中の様々なフィールドおよび項目が、図２２に関連する実施形態の開示において強調されるように、フィールドの残りの機能から独立したそれらの独自の認識可能な機能を有することを理解されよう（例えば、ＦＤ能力フィールドは、オプションとすることができるので、特定の実施形態は単に、ＦＤ能力フィールドを除く、上に開示される全てのフィールドを含むことができ、これはまた、特にオプションとして示される他のフィールドに、ただしこれらに限定されず、適用される）。
【０１６４】
本明細書に記載された方法は、コンピュータまたはプロセッサにより実行するためにコンピュータ可読媒体に組み込まれたコンピュータプログラム、ソフトウェアまたはファームウェアで実行され得る。コンピュータ可読媒体の例は、（有線接続または無線接続を通じて伝送される）電子信号およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスク等の磁気媒体、光磁気媒体、並びにＣＤ−ＲＯＭディスクおよびＤＶＤなどの光媒体を含むが、これらに限定されない。ソフトウェアと関連したプロセッサが使用されて、ＷＴＲＵ、ＵＥ、端末、基地局、ＲＮＣまたは任意のホストコンピュータで使用する無線周波数トランシーバを実行することができる。
【０１６５】
実施形態
１．ワイヤレスステーションで用いる方法が、完全なビーコンフレームのインスタンス間にアクセスポイント（ＡＰ）からの高速初期リンク設定探索（ＦＤ）フレームを受信することと、受信されたＦＤフレームに基づいてＡＰとアソシエートするかどうかを決定することとを含む。
【０１６６】
２．ＦＤフレームは、ＦＤフレーム内容を含む実施形態１の方法。
【０１６７】
３．ＦＤフレームは、ＦＤフレーム制御フィールドを含む実施形態１または２の方法。
【０１６８】
４．ＦＤフレーム制御フィールドは、ＦＤフレーム内容における可変長ＳＳＩＤフィールドの長さに対応する、サービスセット識別子（ＳＳＩＤ）長さフィールドを含む実施形態３の方法。
【０１６９】
５．ＦＤフレーム制御フィールドは、対応する能力フィールドがＦＤフレーム内容に存在するかどうかを示す、能力プレゼンスインジケータを含む実施形態４の方法。
【０１７０】
６．能力フィールドは、ＡＰの能力情報を含む実施形態５の方法。
【０１７１】
７．能力情報は、拡張サービスセット情報、独立基本サービスセット情報、無競合（ＣＦ）ポーリング可能インジケーション、ＣＦ−Ｐｏｌｌ要求インジケーション、プライバシー情報、短いプリアンブルインジケーション、インターネットプロトコル（ＩＰ）ｖ４サポートインジケーション、ＩＰｖ６サポートインジケーション、スペクトル管理情報、サービス品質情報、短いスロット時間情報、無線管理情報、遅延ブロック確認応答（ＡＣＫ）インジケーション、即時ＡＣＫインジケーション、物理層タイプ情報、またはサポートされる最低レート情報、のいずれか１つまたは複数を含む実施形態６の方法。
【０１７２】
８．ＦＤフレーム制御フィールドは、対応するアクセスネットワークオプションフィールドがＦＤフレーム内容に存在しているかどうかを示す、アクセスネットワークオプションプレゼンスインジケータを含む実施形態４乃至７のいずれか１つの方法。
【０１７３】
９．アクセスネットワークオプションフィールドは、ＡＰによって提供されるアクセスサービスを示す実施形態８の方法。
【０１７４】
１０．アクセスネットワークオプションフィールドは、アクセスネットワークタイプフィールド、アクセスフィールドに要求される追加ステップ、緊急サービス到達可能フィールド、または非認証緊急サービスアクセス可能フィールドのいずれか１つまたは複数を含む実施形態８または９の方法。
【０１７５】
１１．ＦＤフレーム制御フィールドは、対応するセキュリティフィールドがＦＤフレーム内容に存在しているかどうかを示す、セキュリティプレゼンスインジケータを含む実施形態４乃至１０のいずれか１つの方法。
【０１７６】
１２．セキュリティフィールドは、ＡＰによって使用されるセキュリティの１つまたは複数のタイプを示す実施形態１１の方法。
【０１７７】
１３．セキュリティフィールドは、グループデータ暗号化スイートフィールド、ペア暗号化スイートカウントフィールド、ペア暗号化スイートリストフィールド、認証および鍵管理（ＡＫＭ）スイートカウントフィールド、ＡＫＭスイートリストフィールド、ロバストセキュリティネットワーク能力フィールド、ペアマスター鍵識別子（ＰＭＫＩＤ）カウントフィールド、ＰＭＫＩＤリストフィールド、グループ管理暗号化スイートフィールド、または結合されたグループおよびペア暗号化スイートフィールド、のいずれか１つまたは複数を含む実施形態１２の方法。
【０１７８】
１４．ロバストセキュリティネットワーク能力フィールドは、事前認証インジケータ、管理フレーム保護要求インジケータ、高速初期リンク設定（ＦＩＬＳ）高速拡張可能認証プロトコル（ＥＡＰ）インジケータ、ＦＩＬＳ  ＥＡＰ再認証プロトコルインジケータ、ＦＩＬＳ非ＥＡＰインジケータ、第三者なしのＦＩＬＳ認証インジケータ、管理フレーム保護対応インジケータ、または完全転送秘密インジケータ、のいずれか１つまたは複数を含む実施形態１３の方法。
【０１７９】
１５．ＦＤフレーム制御フィールドは、対応するＡＰ構成変更カウントフィールドがＦＤフレーム内容に存在しているかどうかを示す、ＡＰ構成変更カウントプレゼンスインジケータを含む実施形態４乃至１４のいずれか１つの方法。
【０１８０】
１６．ＡＰ構成変更カウントフィールドは、ＡＰ構成パラメータのセットが変わった回数を示す実施形態１５の方法。
【０１８１】
１７．ＦＤフレーム制御フィールドは、対応するＡＰネクストターゲットビーコン伝送時間フィールドが、ＦＤフレーム内容に存在しているかどうかを示す、ＡＰネクストターゲットビーコン伝送時間プレゼンスインジケータを含む実施形態４乃至１６のいずれか１つの方法。
【０１８２】
１８．ＡＰネクストターゲットビーコン伝送時間フィールドは、ＡＰからの次の完全なビーコンフレームの伝送時間を示す実施形態１７の方法。
【０１８３】
１９．ＡＰネクストターゲットビーコン伝送時間は、ＦＤフレーム伝送時間に対するオフセット値として表される実施形態１８の方法。
【０１８４】
２０．ＦＤフレーム制御フィールドは、対応する隣接ＡＰ情報フィールドがＦＤフレーム内容に存在しているかどうかを示す、隣接ＡＰ情報プレゼンスインジケータを含む実施形態４乃至１９のいずれか１つの方法。
【０１８５】
２１．隣接ＡＰ情報フィールドは、隣接ＡＰ情報フィールドに各隣接ＡＰに対して、動作クラスフィールドと、チャネル数フィールドと、ネクストターゲットビーコン伝送時間フィールドとを含む実施形態２０の方法。
【０１８６】
２２．各ネクストターゲットビーコン伝送時間フィールドは、対応する隣接ＡＰからの次の完全なビーコンフレームの伝送時間を示す実施形態２１の方法。
【０１８７】
２３．ネクストターゲットビーコン伝送時間は、ＦＤフレーム伝送時間に対するオフセット値として表される実施形態２２の方法。
【０１８８】
２４．オフセット値は、時間単位の数として表される実施形態１９または２３の方法。
【０１８９】
２５．ＦＤフレーム内容は、オプションフィールドまたはオプション情報要素を含む実施形態１乃至２４のいずれか１つの方法。
【０１９０】
２６．ＦＤフレーム内容がいずれかのオプションフィールドを含む状況に応じて、オプションフィールドに対応するプレゼンスインジケータが、ＦＤフレーム制御フィールドに含まれる実施形態２５の方法。
【０１９１】
２７．受信されたＦＤフレームに基づいてＡＰとアソシエートするかどうかの決定が肯定である状況に応じて、ＡＰにアソシエーション要求フレームを伝送することをさらに含む実施形態１乃至２６のいずれか１つの方法。
【０１９２】
２８．ＦＤフレーム内容は、ワイヤレスステーションによってアクセスされる無線ネットワークのタイプによって決まる、物理層固有の情報を含む実施形態１乃至２７のいずれか１つの方法。
【０１９３】
２９．物理層固有の情報は、超高スループット能力情報、超高スループット動作情報、または高スループット動作情報、のいずれか１つまたは複数を含む実施形態２８の方法。
【図１】
0006042981.tif 000006
【図２Ａ】
0006042981.tif 000007
【図２Ｂ】
0006042981.tif 000008
【図２Ｃ】
0006042981.tif 000009
【図３】
0006042981.tif 000010
【図４】
0006042981.tif 000011
【図５】
0006042981.tif 000012
【図６】
0006042981.tif 000013
【図７】
0006042981.tif 000014
【図８】
0006042981.tif 000015
【図９】
0006042981.tif 000016
【図１０】
0006042981.tif 000017
【図１１】
0006042981.tif 000018
【図１２】
0006042981.tif 000019
【図１３】
0006042981.tif 000020
【図１４】
0006042981.tif 000021
【図１５】
0006042981.tif 000022
【図１６Ａ】
0006042981.tif 000023
【図１６Ｂ】
0006042981.tif 000024
【図１７】
0006042981.tif 000025
【図１８】
0006042981.tif 000026
【図１９Ａ】
0006042981.tif 000027
【図１９Ｂ】
0006042981.tif 000028
【図２０】
0006042981.tif 000029
【図２１】
0006042981.tif 000030
【図２２】
0006042981.tif 000031
【図２３】
0006042981.tif 000032
【図２４】
0006042981.tif 000033
【図２５】
0006042981.tif 000034
【図２６】
0006042981.tif 000035